(57)【要約】【課題】１つの画面上で部分的に映像方式を変えること。【解決手段】映像信号生成装置は、第１映像方式の第１映像を表す第１映像信号と、第１映像方式とダイナミックレンジの方式が異なる第２映像方式の第２映像を表す第２映像信号と、を１つのフレーム内に含む第３映像信号を生成する。表示装置は、１つのフレーム内の第３映像信号について、第１映像信号の部分に、第１映像方式の場合の第１マッピングを用いて駆動信号を生成し、第２映像信号の部分に、第２映像方式の場合の第２マッピングを用いて駆動信号を生成する。【選択図】図２
2018129700.tif 000002
【特許請求の範囲】
【請求項１】
信号生成装置と出力装置を具備する信号処理システムにおいて、
前記信号生成装置は、
第１映像方式の第１映像を表す第１映像信号と、前記第１映像方式とダイナミックレンジの方式が異なる第２映像方式の第２映像を表す第２映像信号と、を１つのフレーム内に含む第３映像信号を生成する信号生成部を備え、
前記出力装置は、
１つのフレーム内の前記第３映像信号について、前記第１映像信号の部分に、前記第１映像方式の場合の第１マッピングを用いて駆動信号を生成し、前記第２映像信号の部分に、前記第２映像方式の場合の第２マッピングを用いて駆動信号を生成する処理部
を備える信号処理システム。
【請求項２】
前記信号生成部は、前記第３映像信号の画素単位で前記映像方式を示す画素映像方式情報を生成し、
前記処理部は、前記画素毎に、
当該画素の前記画素映像方式情報が第１映像方式を示す場合、前記第１マッピングを選択し、前記第１映像信号に前記第１マッピングを用いて駆動信号を生成し、
当該画素の前記画素映像方式情報が第２映像方式を示す場合、前記第２マッピングを選択し、前記第２映像信号に前記第２マッピングを用いて駆動信号を生成する
請求項１に記載の信号処理システム。
【請求項３】
前記信号生成部は、ＨＤＲ（Ｈｉｇｈ  Ｄｙｎａｍｉｃ  Ｒａｎｇｅ）のＨＤＲ映像を表すＨＤＲ映像信号と、ＳＤＲ（Ｓｔａｎｄａｒｄ  Ｄｙｎａｍｉｃ  Ｒａｎｇｅ）のＳＤＲ映像を表すＳＤＲ映像信号と、を１つのフレーム内に含む、前記第３映像信号を生成し、
前記処理部は、
前記第３映像信号の画素の前記画素映像方式情報が前記ＨＤＲを示す場合、前記ＨＤＲ映像信号を駆動信号にマッピングする前記第１マッピングを選択し、前記ＨＤＲ映像信号に前記第１マッピングを用いて駆動信号を生成し、
前記画素の前記画素映像方式情報が前記ＳＤＲを示す場合、前記ＳＤＲ映像信号を駆動信号にマッピングする前記第２マッピングを選択し、前記ＳＤＲ映像信号に前記第２マッピングを用いて駆動信号を生成し、
前記出力装置は、
前記駆動信号に基づいて、前記第３映像信号が表わす前記第３映像のうち、前記ＨＤＲ映像の部分を前記ＨＤＲ映像として表示し、前記ＳＤＲ映像の部分を前記ＳＤＲ映像として表示する出力部を備える
請求項１又は請求項２に記載の信号処理システム。
【請求項４】
前記信号生成部は、ＨＤＲ（Ｈｉｇｈ  Ｄｙｎａｍｉｃ  Ｒａｎｇｅ）−ＰＱ（Ｐｅｒｃｅｐｔｕａｌ  Ｑｕａｎｔｉｚａｔｉｏｎ）のＨＤＲ−ＰＱ映像を表すＨＤＲ−ＰＱ映像信号と、ＨＤＲ−ＨＬＧ（Ｈｙｂｒｉｄ  Ｌｏｇ−Ｇａｍｍａ）のＨＤＲ−ＨＬＧ映像を表すＨＤＲ−ＨＬＧ映像信号と、を１つのフレーム内に含む、前記第３映像信号を生成し、
前記処理部は、
前記第３映像信号の画素の前記画素映像方式情報が前記ＨＤＲ−ＰＱを示す場合、前記ＨＤＲ−ＰＱ映像信号を駆動信号にマッピングする前記第１マッピングを選択し、前記ＨＤＲ−ＰＱ映像信号に前記第１マッピングを用いて駆動信号を生成し、
前記画素の前記画素映像方式情報が前記ＨＤＲ−ＨＬＧを示す場合、前記ＨＤＲ−ＨＬＧ映像信号を駆動信号にマッピングする前記第２マッピングを選択し、前記ＨＤＲ−ＨＬＧ映像信号に前記第２マッピングを用いて駆動信号を生成し、
前記出力装置は、
前記駆動信号に基づいて、前記第３映像信号が表わす前記第３映像のうち、前記ＨＤＲ−ＰＱ映像の部分を前記ＨＤＲ−ＰＱ映像として表示し、前記ＨＤＲ−ＨＬＧ映像の部分を前記ＨＤＲ−ＨＬＧ映像として表示する出力部を備える
請求項１又は請求項２に記載の信号処理システム。
【請求項５】
前記信号生成部は、前記第３映像信号が表わす第３映像の画素毎に、前記第３映像信号を示す第１ビット列に対して、当該画素の前記映像方式情報を示す第２ビット列を付加することで、前記第１ビット列と前記第２ビット列を含む拡張映像信号を生成し、
前記処理部は、前記画素毎に、前記拡張映像信号から前記第１ビット列と前記第２ビット列を抽出し、当該第２ビット列が第１映像方式を示す場合に当該第１ビット列に第１マッピングを用いて駆動信号を生成し、当該第２ビット列が第２映像方式を示す場合に当該第１ビット列に第２マッピングを用いて駆動信号を生成する
請求項２に記載の信号処理システム。
【請求項６】
前記信号生成部は、第１フォーマットに従って前記第３映像信号を生成し、
前記第３映像の少なくとも１つのフレームについて、当該フレーム内の各画素の前記映像方式を示すフレーム画素映像方式情報を、第２フォーマットに従って生成し、
前記信号生成装置は、
前記フレーム画素映像方式情報を通知し、前記第３映像信号を出力する送信部を備え、
前記第２フォーマットに従って、前記フレーム画素映像方式情報から、前記第３映像の少なくとも１つのフレームについて、当該フレーム内の各画素の前記映像方式を抽出する制御情報処理部と、
を備え、
前記処理部は、
前記第１フォーマットに従って前記第３映像信号を前記画素毎に抽出し、前記画素毎に、前記制御情報処理部が抽出した前記映像方式が第１映像方式を示す場合、前記第１マッピングを選択し、抽出した前記第３映像信号に前記第１マッピングを用いて駆動信号を生成し、
前記制御情報処理部が抽出した前記映像方式が第２映像方式を示す場合、前記第２マッピングを選択し、抽出した前記第３映像信号に前記第２マッピングを用いて駆動信号を生成する  
請求項２に記載の信号処理システム。
【請求項７】
前記信号生成装置は、
前記第１映像の表示位置と前記第２映像の表示位置を設定する設定部と、
第１伝送路で前記第１映像信号を受信し、第２伝送路で前記第２映像信号を受信する映像信号取得部と、
前記第１伝送路で取得した信号から前記第１映像信号の映像方式を示す第１映像方式情報を取得し、前記第１伝送路又は前記第２伝送路で取得した信号から前記第２映像信号の映像方式を示す第２映像方式情報を取得する方式取得部と、
を備え、
前記信号生成部は、前記第１映像の表示位置の画素について前記第１映像方式情報に基づいて画素映像方式情報を生成し、前記第２映像の表示位置の画素について前記第２映像方式情報に基づいて画素映像方式情報を生成する
請求項２に記載の信号処理システム。
【請求項８】
前記信号生成装置は、
前記第１映像信号と前記第２映像信号とを取得する映像信号取得回路と、
前記第１映像と前記第２映像を同時に表示させる第３映像を示す第３映像信号を生成するように制御された信号生成回路と、
前記第３映像における画素単位で、前記第１映像の表示位置と前記第１映像方式を示す情報、及び、前記第２映像の表示位置と前記第２映像方式を示す情報を取得するように制御された方式取得回路と、
前記方式取得回路が取得した情報に基づいて、前記第３映像における画素単位で前記映像方式を示す画素映像方式情報と、前記第３映像信号とを対応付けた拡張映像信号を生成するように制御された拡張信号生成回路と、
を備え、
前記出力装置は、
前記拡張映像信号を取得する拡張映像信号取得回路と、
前記拡張映像信号に基づいて、前記第３映像における画素単位で、前記第１映像方式のマッピングを用いるか、又は、前記第２映像方式のマッピングを用いるかを判定するように制御された選択回路と
前記選択回路の判定結果に基づいて、前記第３映像における画素単位で、前記第１映像方式のマッピング、又は、前記第２映像方式のマッピングを切り替えて、前記駆動信号を生成するように制御された駆動信号生成回路と、
前記駆動信号に基づいて、前記第３映像において、前記第１映像を前記第１映像方式の映像として表示し、前記第２映像を前記第２映像方式の映像として表示するディスプレイと、
を備える
請求項２に記載の信号処理システム。
【請求項９】
第１映像方式の第１映像を表す第１映像信号と、前記第１映像方式とダイナミックレンジの方式が異なる第２映像方式の第２映像を表す第２映像信号と、を１つのフレーム内に含む第３映像信号を生成する信号生成部
を備える信号生成装置。
【請求項１０】
第１映像方式の第１映像を表す第１映像信号と、前記第１映像方式とダイナミックレンジの方式が異なる第２映像方式の第２映像を表す第２映像信号と、を１つのフレーム内に含む第３映像信号を取得する拡張映像信号取得部と、
１つのフレーム内の前記第３映像信号について、前記第１映像信号の部分に、前記第１映像方式の場合の第１マッピングを用いて駆動信号を生成し、前記第２映像信号の部分に、前記第２映像方式の場合の第２マッピングを用いて駆動信号を生成する処理部と、
を備える出力装置。
【請求項１１】
第１映像方式の第１映像を表す第１映像信号と、前記第１映像方式とダイナミックレンジの方式が異なる第２映像方式の第２映像を表す第２映像信号と、を１つのフレーム内に含む第３映像信号を取得する拡張映像信号取得部と、
前記第３映像信号が表わす第３映像について、１つのフレーム内の第３映像を表示するときの光量について、前記第１映像を表示する画素部分の光量を、前記第２映像を表示する画素部分の光量よりも、増大させる処理部と、
を備える出力装置。
【請求項１２】
信号生成装置における信号生成方法において、
前記信号生成装置が、第１映像方式の第１映像を表す第１映像信号と、前記第１映像方式とダイナミックレンジの方式が異なる第２映像方式の第２映像を表す第２映像信号と、を１つのフレーム内に含む第３映像信号を生成する信号生成過程を有する信号生成方法。
【請求項１３】
出力装置における出力方法において、
前記出力装置が、第１映像方式の第１映像を表す第１映像信号と、前記第１映像方式とダイナミックレンジの方式が異なる第２映像方式の第２映像を表す第２映像信号と、を１つのフレーム内に含む第３映像信号を取得する拡張映像信号取得過程と、
前記出力装置が、１つのフレーム内の前記第３映像信号について、前記第１映像信号の部分に、前記第１映像方式の場合の第１マッピングを用いて駆動信号を生成し、前記第２映像信号の部分に、前記第２映像方式の場合の第２マッピングを用いて駆動信号を生成する処理過程と、
を有する出力方法。
【請求項１４】
信号生成装置のコンピュータに、
第１映像方式の第１映像を表す第１映像信号と、前記第１映像方式とダイナミックレンジの方式が異なる第２映像方式の第２映像を表す第２映像信号と、を１つのフレーム内に含む第３映像信号を生成する信号生成手順、
を実行させるための信号生成プログラム。
【請求項１５】
出力装置のコンピュータに、
第１映像方式の第１映像を表す第１映像信号と、前記第１映像方式とダイナミックレンジの方式が異なる第２映像方式の第２映像を表す第２映像信号と、を１つのフレーム内に含む第３映像信号を取得する拡張映像信号取得手段、
１つのフレーム内の前記第３映像信号について、前記第１映像信号の部分に、前記第１映像方式の場合の第１マッピングを用いて駆動信号を生成し、前記第２映像信号の部分に、前記第２映像方式の場合の第２マッピングを用いて駆動信号を生成する処理手段、
を実行させるための出力プログラム。
【発明の詳細な説明】
【技術分野】
【０００１】
本発明は、信号処理システム、信号生成装置、出力装置、信号生成方法、出力方法、信号生成プログラム、及び出力プログラムに関する。
【背景技術】
【０００２】
近年、テレビジョン装置やモバイル端末等の表示装置には、高画質技術が採用された映像コンテンツが導入されている。高画質技術として、例えば、幅広いダイナミックレンジであるＨＤＲ（Ｈｉｇｈ  Ｄｙｎａｍｉｃ  Ｒａｇｅ：ハイダイナミックレンジ）、高解像度である４Ｋ、８Ｋ等が採用されてきている。
一方、映像コンテンツを伝送する際に、例えば、その映像のジャンルなどをメタデータとして、映像コンテンツの信号に付加して伝送するシステムが知られている。このシステムでは、受信装置は、映像コンテンツを表示するときに、メタデータに基づいた設定で視聴を可能とする。
例えば、引用文献１には、送信装置が、映像の画素データと画素データとは異なる付加データとを１つの伝送ピクセルに含めて１つの伝送ピクセルを伝送し、１つの伝送ピクセルにおいて画素データが占める領域のサイズを示すサイズ情報を伝送することが記載されている。また、引用文献１には、受信装置が、サイズ情報が示すサイズに基づいて、１つの伝送ピクセルにおける画素データの位置を特定し、画素データと付加データとを抽出することが記載されている。
【先行技術文献】
【特許文献】
【０００３】
【特許文献１】特開２０１６−１３９９８１号公報
【発明の概要】
【発明が解決しようとする課題】
【０００４】
ところで、表示装置は、様々な映像方式の映像を表示する。例えば、表示装置は、ダイナミックレンジや解像度等の異なる映像を表示する。一方、表示装置は、これらの映像方式が異なる映像を、同時に表示することが求められている。
しかしながら、従来技術では、表示装置は、映像方式が異なる映像を同時に表示する場合、いずれか一方の映像の映像方式に併せて、複数の映像を同時に表示していた。例えば、表示装置は、ＨＤＲ（Ｈｉｇｈ  Ｄｙｎａｍｉｃ  Ｒａｇｅ：ハイダイナミックレンジ）の映像とＳＤＲ（Ｓｔａｎｄａｒｄ  Ｄｙｎａｍｉｃ  Ｒａｇｅ：スタンダードダイナミックレンジ）の映像を同時に表示する場合、ＨＤＲの映像をＳＤＲの映像に変換する。つまり、表示装置は、ＳＤＲで、複数の映像を同時に表示していた。
例えば、引用文献１記載の技術では、伝送ピクセルにＨＤＲ付加情報を含め、コントラスト比が高い映像を生成する。しかし、引用文献１記載の技術では、例えば、画面上で部分的に映像方式を変えることができず、画面全体で１つの映像方式で映像を出力していた。
【０００５】
本発明は上記の点に鑑みてなされたものであり、１つの画面上で部分的に映像方式を変えることができる信号処理システム、信号生成装置、出力装置、信号生成方法、出力方法、信号生成プログラム、出力プログラムを提供する。
【課題を解決するための手段】
【０００６】
本発明は上記の課題を解決するためになされたものであり、本発明の一態様は、信号生成装置と出力装置を具備する信号処理システムにおいて、前記信号生成装置は、第１映像方式の第１映像を表す第１映像信号と、前記第１映像方式とダイナミックレンジの方式が異なる第２映像方式の第２映像を表す第２映像信号と、を１つのフレーム内に含む第３映像信号を生成する信号生成部を備え、前記出力装置は、１つのフレーム内の前記第３映像信号について、前記第１映像信号の部分に、前記第１映像方式の場合の第１マッピングを用いて駆動信号を生成し、前記第２映像信号の部分に、前記第２映像方式の場合の第２マッピングを用いて駆動信号を生成する処理部を備える信号処理システムである。
【発明の効果】
【０００７】
本発明によれば、１つの画面上で部分的に映像方式を変えることができる。
【図面の簡単な説明】
【０００８】
【図１】本発明の第１の実施形態に係る表示を説明する説明図である。
【図２】本実施形態に係る映像処理システムの概念図である。
【図３】本実施形態に係る映像信号生成装置の構成を示す概略ブロック図である。
【図４】本実施形態に係る放送のデータ構成の一例を表す概略図である。
【図５】本実施形態に係るマルチ画面設定情報を示す概略図である。
【図６】本実施形態に係る画素を説明するための説明図である。
【図７】本実施形態に係る拡張映像信号の構成の一例を表す概略図である。
【図８】本実施形態に係る拡張映像信号の構成の別の一例を表す概略図である。
【図９】本実施形態に係る表示装置の構成を示す概略ブロック図である。
【図１０】本実施形態に係る制御情報のデータ構成の一例を表す概略図である。
【図１１】本実施形態に係る映像処理部の構成を示す概略ブロック図である。
【図１２】本実施形態に係る光量制御処理を説明する説明図である。
【図１３】本実施形態に係る映像信号生成装置の動作の一例を示すフロー図である。
【図１４】本実施形態に係る表示装置の動作の一例を示すフロー図である。
【図１５】本発明の第２の実施形態に係る制御情報のデータ構成の一例を表す概略図である。
【図１６】本実施形態に係る表示装置の構成を示す概略ブロック図である。
【図１７】本発明の第３の実施形態に係る画素映像方式信号の構成の別の一例を表す概略図である。
【図１８】本実施形態に係る映像信号生成装置の構成を示す概略ブロック図である。
【図１９】本実施形態に係る表示装置の構成を示す概略ブロック図である。
【図２０】本実施形態に係る映像処理部の構成を示す概略ブロック図である。
【図２１】本発明の第４の実施形態に係る拡張映像信号の構成の一例を表す概略図である。
【図２２】本実施形態に係る拡張映像信号の構成の別の一例を表す概略図である。
【図２３】本発明の第５の実施形態に係る拡張映像信号の構成の一例を表す概略図である。
【図２４】本発明の第６の実施形態に係る拡張映像信号の構成の一例を表す概略図である。
【発明を実施するための形態】
【０００９】
（第１の実施形態）
以下、図面を参照しながら本発明の実施形態について詳しく説明する。
図１は、本発明の第１の実施形態に係る表示を説明する説明図である。
図１において、映像信号生成装置１は、表示装置２に接続されている。
【００１０】
映像信号生成装置１は、複数の伝送路から映像信号を受信し、表示装置２で視聴可能な信号に変換する。映像信号生成装置１は、変換後の信号を表示装置２へ出力する。
ここで、映像信号生成装置１は、例えば、セットトップボックスである。ただし、映像信号生成装置１は、ＨＤＤ（ハードディスクドライブ）やＢＤ（ブルーレイディスク）等の記録媒体を再生する機能や、これらの記録媒体へ録画する機能を備えるレコーダ等であっても良い。また、映像信号生成装置１は、表示装置２と一体型であっても良い。
【００１１】
表示装置２は、セットトップボックスが出力した信号を受信する。表示装置２は、受信した信号を表示用の駆動信号（以下、「駆動信号」とも称する）に変換し、駆動信号に基づいて映像を表示する。例えば、駆動信号は、液晶ディスプレイの表示に用いられる場合、アクティブマトリクス駆動や単純マトリクス駆動に用いられ、各画素の素子に供給される電力を制御する。ここで、表示装置２は、１つのフレームにおいて、ＨＤＲの駆動信号とＳＤＲの駆動信号の両方を生成する機能を有し、ＨＤＲ映像とＳＤＲ映像の両方を同時に表示する機能を有している。
ここで、ＨＤＲ映像とは、ＨＤＲの方式に従って生成された駆動信号により、ディスプレイに表示された映像をいう。また、ＳＤＲ映像とは、ＳＤＲの方式に従って生成された駆動信号により、ディスプレイに表示された映像をいる。
【００１２】
表示装置２は、例えば、テレビジョン装置である。ただし、表示装置２は、スマートフォン端末、タブレット端末であっても良い。なお、表示装置２は、そのディスプレイに、液晶とバックライトを用いても良いし、有機発光ダイオードを用いても良い。また、バックライトは、直下型方式でも良いし、エッジライト方式でも良い。また、本実施形態では、部分駆動（ローカルディミング）、つまり、バックライトの発する光の光量、又は光を発するか否かを、部分的に制御できる例について説明する。ただし、本発明はこれに限らず、表示装置２は、部分駆動をせずに、全面の光量を制御するものであっても良い。
【００１３】
図１において、表示装置２は、映像Ｉ１１と映像Ｉ１２が表示されている。なお、各映像は、静止画像であっても良いし、動画像であっても良い。
映像Ｉ１１は、ＳＤＲ映像であり、映像Ｉ１２は、ＨＤＲのうち、ＰＱ（パーセプチュアル  クォンタリゼーション）方式の映像である。ここで、ＨＤＲとは、映像の持つ光学輝度の高低の幅（ダイナミックレンジ）を拡大する高画質技術である。ＨＤＲは、ＳＤＲよりも、ダイナミックレンジが広い。
なお、輝度には、光学輝度と画像輝度との２種類がある。光学輝度とは、光源の明るさを表す心理物理量の１つである。光学輝度は、例えば、表示装置２等のディスプレイの明るさを表すときに用いる。画像輝度とは、映像ソースの表色系における明るさである。
以下では、ダイナミックレンジとは、光学輝度のダイナミックレンジをいう。
【００１４】
符号Ｉ１で示す図は、表示装置２の表示について、その一部の画素毎に、映像方式を表した概念図である。ここで、映像方式とは、映像の方式を示し、例えば、画像の画質技術を示す。本実施形態では、映像方式には、ＨＤＲとＳＤＲが含まれる。さらに、ＨＤＲは、ＰＱ方式とＨＬＧ（ハイブリッド  ログ−ガンマ）形式に分類できる。ＰＱ方式のＨＤＲを「ＨＤＲ−ＰＱ」、ＨＬＧ方式のＨＤＲを「ＨＤＲ−ＨＬＧ」とも称する。
【００１５】
符号Ｉ１で示す図において、「Ｓ」はＳＤＲを表し、「Ｐ」はＨＤＲ−ＰＱを表す。また、「ｎ」は、データがないこと（ｎｏＤＡＴＡ）を表す。
映像Ｉ１１の一部は、２０個の画素について、ＳＤＲで表示されている。映像Ｉ１２の一部は、６個の画像について、ＨＤＲ−ＰＱで表示されている。映像Ｉ１３の部分は、データがなく、予め定められた色、又は、画像が表示さている。
ここで、ＨＤＲで表示されるとは、表示装置２が、映像信号をＨＤＲ用のマッピング（「ＨＤＲ用マッピング」と称する）を用いて駆動信号に変換し、変換後の駆動信号を用いて、表示されることをいう。ＳＤＲで表示されるとは、表示装置２が、映像信号をＳＤＲ用のマッピング（「ＳＤＲ用マッピング」と称する）を用いて駆動信号に変換し、変換後の駆動信号を用いて、表示されることをいう。
【００１６】
なお、マッピングとは、映像信号の信号値を駆動信号の信号値に変換するものである。また、マッピングとは、画像輝度を光学輝度に変換するものである。このマッピングは、映像方式の種類、例えば、ダイナミックレンジの種類によって異なる。例えば、マッピングは、ＨＤＲとＳＤＲで異なり、また、ＨＤＲ−ＰＱとＨＤＲ−ＨＬＧでも異なる。
また、ＨＤＲとＳＤＲでは、マッピングされる光学輝度の範囲、又は、光学輝度の最大値（「最大輝度」とも称する）が異なっている。例えば、最大輝度は、ＳＤＲでは１００カンデラ／平方メートルであり、ＨＤＲでは１０００カンデラ／平方メートルである。つまり、ＨＤＲとＳＤＲでは、映像の輝度や明るさが異なる。また、ＨＤＲとＳＤＲでは、コントラストも異なる。ＨＤＲでは、ＳＤＲと比較してコントラストが高くなり、ＳＤＲでは、ＨＤＲと比較してコントラストが低くなる。
【００１７】
図１の表示では、１つの画面（少なくとも１つのフレームの映像）において、映像が、一部がＨＤＲで表示され、別の一部がＳＤＲで表示されている。換言すれば、表示装置２は、画面上で部分的に映像方式を変えている。
【００１８】
なお、ダイナミックレンジの方式（「ダイナミックレンジ方式」と称する）が異なる映像方式とは、例えば、互いに、識別可能な信号の最小値と最大値の比率が異なる映像方式である。また例えば、ダイナミックレンジ方式が異なる映像方式は、信号がマッピングされる光学輝度の範囲、又は、光学輝度の最大値（「最大輝度」とも称する）が異なる映像方式である。また例えば、ダイナミックレンジ方式が異なる映像方式は、映像信号を駆動信号に変換するマッピングが異なる映像方式である。換言すれば、ダイナミックレンジ方式が異なる映像方式は、信号値と輝度値を対応付けるマッピングが異なる映像方式である。
【００１９】
また、ダイナミックレンジ方式が異なる映像方式とは、例えば、互いに、適用されるダイナミックレンジ技術が異なる映像方式であってもよい。具体的には、ダイナミックレンジ方式は、ＨＤＲ、ＳＤＲ、ＨＤＲ−ＰＱ、又は、ＨＤＲ−ＨＬＧである。ＨＤＲ（ＨＤＲ−ＰＱ又はＨＤＲ−ＨＬＧであってもよい）とＳＤＲは、ダイナミックレンジ方式が異なる映像方式である。また、ＨＤＲ、ＳＤＲ、ＨＤＲ−ＰＱ、及び、ＨＤＲ−ＨＬＧは、それぞれ、ダイナミックレンジ方式が異なる。
なお、各映像方式では、ＩＴＵ−Ｒ（国際電気通信連合  無線通信部門）勧告の技術標準が用いられる。例えばＳＤＲは、ＩＴＵ−Ｒ  ＢＴ．７０９、又は、ＩＴＵ−Ｒ  ＢＴ．２０２０で規定される技術標準が用いられる。ＨＤＲ（ＨＤＲ−ＰＱ又はＨＤＲ−ＨＬＧ）は、ＩＴＵ−Ｒ  ＢＴ．２１００で規定される技術標準が用いられる。
【００２０】
＜ＨＤＲ−ＰＱとＨＤＲ−ＨＬＧについて＞
ＨＤＲ−ＰＱとＨＤＲ−ＨＬＧは、次のように、映像方式が異なる。
ＨＤＲ−ＰＱは、輝度値を相対的に扱う映像方式であり、一方、ＨＤＲ−ＨＬＧは、最大値までの輝度値を絶対輝度（最大輝度は予め定められている）で扱う映像方式である。ＨＤＲ−ＰＱは、ＥＯＴＦを規定している規格に従う映像方式であり、ＨＤＲ−ＨＬＧは、ＥＯＴＦを規定している規格に従った映像方式である。ＨＤＲ−ＰＱとＨＤＲ−ＨＬＧは、ガンマカーブ、つまり、信号値と輝度値を対応付けるマッピングが異なる。
【００２１】
＜映像処理システム＞
図２は、本実施形態に係る映像処理システムＳの概念図である。
図２において、映像処理システムＳは、放送局Ｓ１１、レコーダＳ１２、サーバＳ１３、映像信号生成装置１、及び、表示装置２を具備する。
【００２２】
映像信号生成装置１は、例えば、放送局装置Ｓ１１からＨＤＲ映像を表すＨＤＲ映像信号を受信し、レコーダＳ１２からＳＤＲ映像を表すＳＤＲ映像信号を受信する。映像信号生成装置１は、例えば、ユーザから、これらの映像を同時に表示するマルチ画面表示を指示される。この場合、映像信号生成装置１は、ＨＤＲ映像信号とＳＤＲ映像信号を、１つのフレーム内に含む映像信号（「合成映像信号」とも称する）を生成し、出力する。
なお、マルチ画面表示とは、番組を２つ並べて表示することに限らず、映像を２つ並べて表示することをいう。映像には、文字のみの映像も含まれる。なお、映像には、レイヤが異なる映像が含まれなくても良い。例えば、表示装置２が生成する字幕、文字スーパーについては、映像のレイヤとは異なるレイヤで描写され、これらは映像に含まれてなくても良い。また、映像信号生成装置１は、マルチ画面表示以外でも、ＨＤＲ映像信号とＳＤＲ映像信号を、１つのフレーム内に含む合成映像信号を生成しても良い。例えば、１つの映像について、一部をＨＤＲ映像とし、別の一部をＳＤＲ映像とする場合である。この場合、映像信号生成装置１は、１つの映像（例えば、１つの伝送路や１つのチャンネルの映像）の映像信号について、ＨＤＲ映像信号とＳＤＲ映像信号を、１つのフレーム内に含む合成映像信号を生成しても良い。
【００２３】
表示装置２は、合成映像信号を受信する。表示装置２は、１つのフレーム内の合成映像信号について、ＨＤＲ映像信号の部分に、ＨＤＲ用マッピングを用いて駆動信号を生成し、ＳＤＲ映像信号の部分に、ＳＤＲ用マッピングを用いて駆動信号を生成する。表示装置２は、生成した駆動信号に基づいて、１つの画面（フレーム）内に、ＨＤＲ映像とＳＤＲ映像を混在させて表示する。
つまり、例えば、上述のＨＤＲ映像とは、ＨＤＲ用マッピングを用いた駆動信号により、ディスプレイに表示された映像である。また、ＳＤＲ映像とは、ＳＤＲ用マッピングを用いた駆動信号により、ディスプレイに表示された映像である。
【００２４】
以下、図２の詳細を説明する。
放送局装置Ｓ１１は、放送番組に関する放送データを、放送する。映像信号生成装置１及び表示装置２は、放送伝送路を介して到達した電波を受信する。放送伝送路は、例えば、所定の周波数帯域の放送波である。なお、放送伝送路は、放送波を中継する放送衛星ＢＳを含んで構成されても良い。例えば、放送には、メディアトランスポート方式として、ＭＭＴ（ＭＰＥＧ  Ｍｅｄｉａ  Ｔｒａｎｓｐｏｒｔ）方式、ＭＰＥＧ−２  ＴＳ方式、又は、ＲＴＰ（Ｒｅａｌ−ｔｉｍｅ  Ｔｒａｎｓｐｏｒｔ  Ｐｒｏｔｏｃｏｌ）方式が用いられる。例えば、放送データには、制御情報、番組表、番組映像、文字情報等が含まれる。
レコーダ装置Ｓ１２は、ＨＤＤやＢＤ等の記録媒体を再生する機能や、これらの記録媒体へ録画する機能を備える。レコーダ装置Ｓ１２は、例えば、ＨＤＭＩ（高精細度マルチメディアインターフェース：登録商標）端子やＤ端子、ＵＳＢ（ユニバーサル・シリアル・バス）端子とケーブルを介して（伝送路）、映像信号生成装置１と接続されている。レコーダ装置Ｓ１２は、ケーブルを介して、信号を映像信号生成装置１へ出力する。
【００２５】
サーバ装置Ｓ１３は、ネットワークコンテンツを示すコンテンツデータを、ネットワークＮＷ（伝送路）を介して映像信号生成装置１へ送信する。ネットワークコンテンツとは、サーバ装置等が配信するコンテンツであり、映像（動画像、静止画像）や文字情報である。ネットワークコンテンツは、例えば、ニュース、天気予報、番組情報等である。ネットワークコンテンツには、ＳＮＳ（ソーシャルネットワークシステム）やテレビ電話、プログラム等も含まれる。ネットワークＮＷは、インターネットやＷＡＮ（Ｗｉｄｅ  Ａｒｅａ  Ｎｅｔｗｏｒｋ）、又は、ＬＡＮ（Ｌｏｃａｌ  Ａｒｅａ  Ｎｅｔｗｏｒｋ）等によって構成される情報通信ネットワークである。ネットワークでは、通信方式は、ＩＰプロトコルで定められている。
【００２６】
映像信号生成装置１は、放送局装置Ｓ１１から受信した電波の信号から、映像信号と映像方式情報を抽出する。ここで、映像方式情報とは、映像信号が表わす映像について、その映像方式を示す情報である。また、映像信号生成装置１は、レコーダ装置Ｓ１２から受信した信号から、映像信号と映像方式情報を抽出する。映像信号生成装置１は、サーバ装置Ｓ１３から受信したコンテンツデータから、映像を表すデータと映像方式情報を抽出する。
【００２７】
映像信号生成装置１は、マルチ画面表示について、映像と表示を対応付けたマルチ画面設定情報（図５参照）を、予め記憶している。マルチ画面設定情報は、各映像について、画面上の表示位置と、当該表示位置に表示させる映像と、を対応付けた情報である。なお、映像信号生成装置１は、商品出荷時、又は、ユーザにより、マルチ画面設定情報を設定され、そのマルチ画面設定情報を記憶している。
【００２８】
映像信号生成装置１は、マルチ画面表示を指示された場合、マルチ画面設定情報を読み出す。映像信号生成装置１は、マルチ画面設定情報に基づいて、各表示位置の画素に対して、当該に表示位置に表示させる映像の映像信号を配置する。これにより、映像信号生成装置１は、合成映像信号を生成する。
例えば、映像信号生成装置１は、各表示位置の画素単位で、映像方式情報を示す画素映像方式情報を生成する。この画素映像方式情報は、信号又はコンテンツデータから抽出された映像方式情報であって、当該画素に配置される映像の映像方式を示す映像方式情報である。
【００２９】
映像信号生成装置１は、合成映像信号と画素映像方式情報を、１つのフレーム内の画素毎に生成し、生成した合成映像信号と画素映像方式情報を示す画素映像方式信号の両方（両方を含む信号を「拡張映像信号」と称する）を、表示装置２へ送信する。
拡張映像信号において、画素映像方式信号は、サブ画素毎に合成映像信号に付加されても良いし（図７参照）、又は、画素毎に合成映像信号に付加されても良い（図８参照）。ここで、サブ画素とは、画素を構成する各色の画素をいい、例えば、画素がＲＧＢ（赤、緑、青）で構成される場合には、赤色の画素、緑色の画素、青色の画素の各々をいう。なお、拡張映像信号は、合成映像信号と画素映像方式信号とが、それぞれ別のフォーマットに従って生成され、別々に通知されたものであっても良い（他の実施形態を参照）。
【００３０】
表示装置２は、映像信号生成装置１が送信した拡張映像信号を受信する。
表示装置２は、受信した拡張映像信号に基づいて、画素毎に、駆動信号を生成する。具体的には、表示装置２は、各画素の画素映像方式情報が示す映像方式に応じて、マッピングを選択する（選択したマッピングを「選択マッピング」とも称する）。表示装置２は、各画素の映像信号に対してマッピングを選択し、選択マッピングを用いて、駆動信号を生成する。
マッピングは、映像方式毎に予め定められ、マッピングには、例えば、ＨＤＲ−ＰＱ用のマッピング（「ＨＤＲ−ＰＱ用マッピング」と称する）、ＨＤＲ−ＨＬＧ用のマッピング（「ＨＤＲ−ＨＬＧ用マッピング」と称する）、ＳＤＲ用マッピングがある。
【００３１】
本実施形態では、例えば、表示装置２は、１つのフレーム内において、複数種類のマッピングを用いる場合がある。例えば、表示装置２は、１つのフレーム内において、合成映像信号の一部にＨＤＲ−ＰＱ用マッピングを用いて駆動信号を生成し、別の一部にＳＤＲ用マッピングを用いて駆動信号を生成する。
表示装置２は、生成した駆動信号に基づいて、ダイナミックレンジ又はその方式が互いに異なる映像についてマルチ画面表示を行う。
【００３２】
図２において、表示装置２には、レコーダＳ１２から送信されたメニュー画面がＳＤＲで表示されている。なお、表示装置２には、映像信号生成装置１が記憶するメニュー画面がＳＤＲで表示されても良い。また、表示装置２には、サーバ装置Ｓ１３から送信された番組紹介情報がＨＤＲ−ＨＬＧで表示され、放送局装置Ｓ１１から送信された映像がＨＤＲ−ＰＱで表示されている。
【００３３】
＜映像信号生成装置１について＞
図３は、本実施形態に係る映像信号生成装置１の構成を示す概略ブロック図である。
映像信号生成装置１は、信号取得部１１、方式取得部１２、信号合成部１３、設定記憶部１４、設定部１５、拡張信号生成部１６、及び、送信部１７を含んで構成される。なお、映像信号生成装置１は、その他、例えばＳＴＢの一般的な公知の機能を備えても良い。
【００３４】
信号取得部１１は、Ｎ個の信号取得部１１−ｎ（ｎ＝１〜Ｎ：Ｎは自然数）を含んで構成される。
信号取得部１１−ｎは、信号又はコンテンツデータを、伝送路を介して受信する。信号又はコンテンツデータ、及び、伝送路は、信号取得部１１−ｎに予め定められている。信号取得部１１−ｎは、受信した信号又はコンテンツデータを復調し、復号が必要な場合には復調した信号を復号する。信号取得部１１−ｎは、復調又は復号した信号から、映像信号と制御情報を抽出する。信号取得部１１−ｎは、映像を識別する映像識別情報と対応付けて、抽出した映像信号を信号合成部１３へ出力し、抽出した制御情報を方式取得部１２へ出力する。なお、映像識別情報は、映像信号生成装置１の内部で映像信号を伝送する配線やポートであっても良いし、これらに対応付けられていても良い。
【００３５】
信号取得部１１−ｎは、例えば、チューナーやネットワークボード等の受信回路である。この受信回路には、復調回路、復号回路、及び、制御情報と映像信号を分離する信号分離回路も含まれている。また、信号取得部１１−ｎは、ＨＤＤ等のディスクドライブを内蔵し、ディスクドライブが記憶する信号を取得しても良い。また、映像信号生成装置１の読取り機能を用いて、ＤＶＤディスクやＢＤディスク、メモリーカード等の記憶媒体Ｓ２２から、信号を取得しても良い。
【００３６】
方式取得部１２は、信号取得部１１−１〜信号取得部１１−Ｎの各々から、映像識別情報と制御情報を取得する。方式取得部１２は、制御情報の一部（図４参照）から映像方式情報を抽出する。この映像方式情報は、対応付けられた映像識別情報が示す映像の映像方式を示す。つまり、方式取得部１２は、映像毎に、当該映像の映像方式を示す映像方式情報を取得する。方式取得部１２は、取得した映像識別情報と映像方式情報を拡張信号生成部へ出力する。
【００３７】
信号合成部１３は、信号取得部１１−１〜信号取得部１１−Ｎの各々から、映像識別情報と映像信号を取得する。ここで、映像信号は、対応付けられた映像識別情報が示す映像の映像信号である。
信号合成部１３は、設定記憶部１４から表示設定情報を読み出し、表示設定情報がマルチ画面表示を示す場合、設定記憶部１４からマルチ画面設定情報を読み出す。信号合成部１３は、読み出したマルチ画面設定情報に基づいて、表示すべき映像を複数選択する。信号合成部１３は、選択した複数の映像各々について、表示位置を決定する。信号合成部１３は、決定した表示位置の画素に対して、選択した映像の映像信号を配置する。
これにより、信号合成部１３は、合成映像信号を生成する。つまり、信号合成部１３は、１つのフレーム内に、複数種類の映像信号を含む合成映像信号を生成する。
【００３８】
ここで、複数種類の映像信号とは、例えば、復号方式やデータフォーマット、画質技術等が異なる映像信号である。本実施形態では、信号合成部１３は、ダイナミックレンジやその方式が異なる映像信号を取得する。つまり、信号合成部１３は、１つのフレーム内に、ダイナミックレンジやその方式が異なる映像信号を含む、合成映像信号を生成する。
信号合成部１３は、生成した合成映像信号を、拡張信号生成部１６へ出力する。なお、映像信号の種類が１種類の場合、信号合成部１３は、この映像信号を合成映像信号として、拡張信号生成部１６へ出力する。
【００３９】
設定記憶部１４は、設定情報を記憶する。この設定情報は、設定部１５により設定され、又は、商品出荷時に設定され、或いは、ソフトウェアの更新により設定される。設定記憶部１４は、例えば、設定情報として、表示設定情報やマルチ画面設定情報（図５）、チャンネル設定等を記憶する。ここで、表示設定情報には、マルチ画面表示が指示されているか否かを示す情報等が含まれる。
設定部１５は、リモートコントローラから、ユーザの指示を示す信号を取得する。設定部１５は、取得した信号に従って、設定記憶部１４が記憶する設定情報を更新する。
例えば、設定部１５は、ユーザが放送又は通信を選択した場合、選択した放送又は通信を受信する信号取得部１１−ｎを選択する。選択された信号取得部１１−ｎは、映像信号を信号合成部１３へ出力する。また、放送又は通信において、ユーザがチャンネルを選択した場合、信号取得部１１−ｎの受信周波数や通信先を変更することで、受信するチャンネルを変更する。ここで、マルチ画面表示の場合、ユーザは、複数の放送又は通信を選択できる。設定部１５は、ユーザが選択した放送或いは通信、又は、チャンネルを示す映像識別情報を、設定情報として設定記憶部１４に記憶する。
【００４０】
拡張信号生成部１６は、設定情報記憶部１４から設定情報を読み出す。例えば、拡張信号生成部１６は、設定記憶部１４から表示設定情報を読み出し、表示設定情報がマルチ画面表示を示す場合、設定記憶部１４からマルチ画面設定情報を読み出す。
拡張信号生成部１６は、方式取得部１２から、映像識別情報と映像方式情報を取得する。
拡張信号生成部１６は、マルチ画面設定情報の表示位置と映像識別情報を参照する。拡張信号生成部１６は、方式取得部１２から取得した情報のうち、参照した映像識別情報に対応する映像方式情報を選択する。拡張信号生成部１６は、選択した映像方式情報を、参照した表示位置及び映像識別情報を対応付けて、設定情報記憶部１４に記憶させる。
つまり、拡張信号生成部１６は、各表示位置の映像と、その映像の映像方式を特定する。
【００４１】
拡張信号生成部１６は、設定情報記憶部１４に記憶させた設定情報に基づいて、複数の映像方式の映像が同時に表示されるか否か、つまり、複数の映像方式の映像が混在していないか否かを判定する。換言すれば、拡張信号生成部１６は、１つのフレーム内の合成映像信号に、複数の映像方式の映像信号が混在していないか否かを判定する。
拡張信号生成部１６は、拡張信号生成部１６から取得した合成映像信号について、フレーム単位の合成映像信号（「フレーム合成映像信号」とも称する）を抽出する。拡張信号生成部１６は、抽出したフレーム合成映像信号から、各表示位置の各画素について、合成映像信号（「画素合成映像信号」とも称する）を抽出する。
【００４２】
複数の映像方式の映像信号が混在していると判定した場合、拡張信号生成部１６は、抽出した画素合成映像信号に対して、映像方式情報を示す信号を付加する。ここで、画素単位で付加された映像方式情報を、「画素映像方式情報」という。
具体的には、例えば、図５のマルチ画面設定情報では、表示位置が（Ｘ１，Ｙ１）と（Ｘ２，Ｙ２）を対角線の頂点とする四角形について、映像識別情報が「１２３４５」であり、その映像の映像方式が「ＨＤＲ−ＰＱ」である設定を有する。この場合、拡張信号生成部１６は、この四角形に含まれる画素の全てに対して、「ＨＤＲ−ＰＱ」を示す画素映像方式情報を付加する。
【００４３】
拡張信号生成部１６は、上述の処理により、合成映像信号と画素映像方式信号を生成する。つまり、拡張信号生成部１６は、拡張映像信号を生成する。拡張信号生成部１６は、生成した拡張映像信号と、拡張映像信号の制御情報と、を送信部１７へ出力する。
一方、複数の映像方式の映像信号が混在していないと判定した場合、拡張信号生成部１６は、入力された合成映像信号と、合成映像信号の制御情報と、を送信部１７へ出力する。
送信部１７は、拡張信号生成部１６から取得した拡張映像信号或いは合成映像信号と制御情報を変調し、符号化が必要な場合には変調した信号を符号化する。送信部１７は、変調又は符号化した信号を、表示装置２へ送信する。
【００４４】
＜制御情報の一例＞
図４は、本実施形態に係る放送のデータ構成の一例を表す概略図である。
この図は、放送に含まれる制御情報のフォーマットの一例であり、方式取得部１２は、この制御情報から映像方式情報を抽出する。
図４は、映像コンポーネント記述子のデータ構造の一例を示す。映像コンポーネント記述子は、映像コンポーネントに関するパラメータや説明を示す記述子である。
映像コンポーネント記述子において、ｖｉｄｅｏ＿ｄｒ＿ｆｌａｇ（ダイナミックレンジフラグ）は、映像方式情報を表す。ｖｉｄｅｏ＿ｄｒ＿ｆｌａｇは、「０１」が「ＨＤＲ−ＰＱ」であることを示し、「１０」が「ＨＤＲ−ＨＬＧ」であることを示す。また、ｖｉｄｅｏ＿ｄｒ＿ｆｌａｇは、「１１」が「ＳＤＲ」であることを示す。
方式取得部１２は、ｖｉｄｅｏ＿ｄｒ＿ｆｌａｇの値を抽出することで、映像方式情報を抽出する。
なお、映像方式情報は、コンポーネント記述（ｔｅｘｔ＿ｃｈａｒ）に記述されても良い。また、映像方式情報は、放送毎、チャンネル毎、番組毎、又は、日時範囲毎に指定されていても良い。
【００４５】
映像コンポーネント記述子は、ＭＰＴ（ＭＭＴ  Ｐａｃｋａｇｅ  Ｔａｂｌｅ；ＭＭＴパッケージテーブル）のアセット記述子領域に記述される記述子である。ＭＰＴは、放送番組の構成要素であるアセット、つまり映像、音声のリストや、それらの提供条件を示す情報を含むテーブルである。ＭＰＴは、ＭＭＴ（ＭＰＥＧ  Ｍｅｄｉａ  Ｔｒａｎｓｐｏｒｔ）方式におけるＭＭＴ−ＳＩ（Ｓｅｒｖｉｃｅ  Ｉｎｆｏｒｍａｔｉｏｎ）である。換言すれば、ＭＭＴ方式の場合、映像方式情報は、ＭＰＴに含まれ、また、ＭＰＴのアセット記述子領域に含まれる。
【００４６】
＜マルチ画面設定情報の一例＞
図５は、本実施形態に係るマルチ画面設定情報の一例を表す概略図である。
図示するようにマルチ画面設定情報は、設定、表示形状、表示位置、映像識別情報、映像、チャンネル、配信元、及び、映像方式情報の各項目の列を有している。設定は、マルチ画面設定を識別する情報である。表示形状は、映像を表示する領域の形状を表す。表示位置は、映像を表示する位置を表し、例えば、画面上の座標（ピクセル）で表される。
マルチ画面設定情報は、設定毎に、１つのフレーム内に表示する映像（映像識別情報）とその表示に関する情報（表示形状、表示位置）を対応付けた２次元の表形式のデータである。なお、映像方式情報は、拡張信号生成部１６が、表示位置及び映像識別情報と対応付けて記憶させた情報である。
【００４７】
例えば、図５の１行目のレコードは、表示形状が「四角」であることを示す。つまり、表示位置（Ｘ１，Ｙ１）と（Ｘ２，Ｙ２）を対角線の頂点とする「四角」形に、映像識別情報「１２３４５」の映像が表示される。また、映像識別情報「１２３４５」の映像は、「ＨＤＲデジタル放送」のチャンネル「１ｃｈ」の映像であり、信号取得部１１−１（ｎ＝１）で取得される。また、この映像の配信元は、ＸＸ放送局であり、この映像の映像方式は「ＨＤＲ−ＰＱ」である。
なお、図５の２行目のレコードは、表示形状が「楕円」であり、表示位置（Ｘ３，Ｙ３）を中心とし、長径がＡ１、短径がＢ１であることを表す。
【００４８】
＜拡張映像信号について＞
以下、本実施形態に係る拡張映像信号について説明する。
図６は、本実施形態に係る画素を説明するための説明図である。
この図は、１つのフレームの映像信号とディスプレイの画素の関係を表す概念図である。ディスプレイは、例えば、水平方向にＪ＋１個、垂直方向にＩ＋１個の画素を用いて、この映像信号の映像を表示する。
【００４９】
この図において、角丸の四角形の各々は、１つの画素を表す。また、垂直方向にｉ＋１番目にあり、水平方向にｊ＋１番目にある画素には、角丸の四角形に、番号「ｉｊ」を付している。以下、番号「ｉｊ」を付した画素を、画素Ｇｉｊと表記する。
例えば、画素Ｇ００は、垂直方向に１番目（ｉ＝０）であり、水平方向に１番目（ｊ＝０）であるので、００が付されている。画素Ｇ０１は、垂直方向に１番目（ｉ＝０）であり、水平方向に２番目（ｊ＝１）であるので、０１が付されている。
例えば、アクティブマトリクス駆動方式の場合、垂直方向（行）の画素成分はゲート電極線に対応し、水平方向（列）の画素成分はソース電極線に対応する。例えば、ｉはゲート電極線の一部又は全部を識別でき、ｊはソース電極線の一部又は全部を識別できる。
【００５０】
図７は、本実施形態に係る拡張映像信号の構成の一例を表す概略図である。
この図は、ある画素の拡張映像信号には、当該画素の合成映像信号に当該画素の映像方式を示す画素映像方式情報が付加されていることを示す。この図の例では、サブ画素毎に、画素映像方式情報が付加されている。
【００５１】
例えば、拡張映像信号Ｓｇ１１は赤色の映像信号、拡張映像信号Ｓｇ１２は緑色の映像信号、拡張映像信号Ｓｇ１３は青色の映像信号を表す。１つのサブ画素に対する拡張映像信号は、合成映像信号と画素方式情報の組合せで構成されている。図７において、各画素に置いて、画素映像方式信号Ｓｇ１１２、Ｓｇ１２２、Ｓｇ１３２は、それぞれ、合成映像信号Ｓｇ１１１、Ｓｇ１２１、Ｓｇ１３１の後に付加されている。
例えば、合成映像信号Ｓｇ１１１、Ｓｇ１２１、Ｓｇ１３１は、画素Ｇ００に対する映像信号であり、それぞれ、赤色の合成映像信号（Ｒ００）、緑色の合成映像信号（Ｇ００）、青色の合成映像信号（Ｂ００）が配置されている。
【００５２】
合成映像信号Ｓｇ１１２、Ｓｇ１２２、Ｓｇ１３２は、画素Ｇ００に対する画素映像方式信号であり、画素Ｇ００の映像方式を示す信号が配置されている。画素映像方式信号Ｓｇ１１２、Ｓｇ１２２、Ｓｇ１２３は、例えば、「０１」が「ＨＤＲ−ＰＱ」であることを示し、「１０」が「ＨＤＲ−ＨＬＧ」であることを示す。また、画素映像方式信号１１２、Ｓｇ１２２、Ｓｇ１２３は、「１１」が「ＳＤＲ」であることを示し、「００」は映像方式が不明であること、又は、映像信号を生成した装置が画素映像方式情報を付与できないことを示す。同様に、合成映像信号Ｓｇ１２３、Ｓｇ１２４は、画素Ｇ０１の赤色のサブ画素に対する信号である。
なお、１つのサブ画素に対する拡張映像信号は、１２ビットで構成される。この拡張映像信号は、合成映像信号は１０ビットで構成され、画素映像方式情報は２ビットで構成される。
【００５３】
図８は、本実施形態に係る拡張映像信号の構成の別の一例を表す概略図である。
この図は、ある画素の拡張映像信号は、当該画素の合成映像信号に、当該画素の映像方式を示す画素映像方式情報が付加されていることを示す。この図の例では、画素毎に、画素映像方式情報が付加されている。図８において、各画素に置いて、画素映像方式信号Ｓｇ１２２は、合成映像信号Ｓｇ２１１の後に付加されている。
【００５４】
例えば、拡張映像信号Ｓｇ２では、１つの画素に対する拡張映像信号は、１つの画素（全サブ画素）の合成映像信号と画素方式情報の組合せで構成されている。
例えば、拡張映像信号Ｓｇ２１１は、画素Ｇ００に対する映像信号であり、当該画素の合成映像信号（Ｐ００）が配置されている。この合成映像信号（Ｐ００）には、赤色の合成映像信号（Ｒ００）、緑色の合成映像信号（Ｇ００）、青色の合成映像信号（Ｂ００）が含まれている。
【００５５】
拡張映像信号Ｓｇ２１２は、画素Ｇ００に対する画素映像方式信号であり、画素Ｇ００の映像方式を示す信号が配置されている。画素映像方式信号の各値とその意味は、図７のものと同じである。
同様に、拡張映像信号Ｓｇ２１３、Ｓｇ２１４は、画素Ｇ０１に対する信号である。
なお、１つの画素に対する拡張映像信号は、１つの画素の合成映像信号に、２ビットの画素映像方式情報が付加されたものである。
【００５６】
上記の拡張映像信号は、次のようにして生成される。
つまり、信号合成部１３は、合成映像信号が示す映像の画素（拡張映像信号が示す映像の画素）毎に、合成映像信号を示すビット列に対して、当該画素の映像方式情報を示すビット列（２ビット）を付加することで、前記第１ビット列と前記第２ビット列を含む拡張映像信号を生成する。
【００５７】
＜表示装置２について＞
図９は、本実施形態に係る表示装置２の構成を示す概略ブロック図である。
表示装置２は、入力部２０、記憶部２１、通信部２２、復調部２３−１、２３−２、分離部２４−１、２４−２、２４−３、制御情報処理部２５、ＡＰ（アプリケーション）処理部２６、表示制御処理部２７、音声処理部２８、出力部２９、及び、映像処理部Ｃ２を含んで構成される。なお、表示装置２は、その他、例えばテレビジョン装置、スマートフォン端末、タブレット端末の一般的な公知の機能を備えても良い。
【００５８】
入力部２０は、操作装置（リモートコントローラ）Ｒ１から、ユーザの指示を示す信号を取得する。入力部２０は、取得した信号に従って、記憶部２１が記憶する設定情報を更新する。入力部２０は、ユーザが放送又は通信を選択した場合、選択した放送又は通信を受信するように、通信部２２に指示する。通信部２２は、選択した放送又は通信の映像信号を出力する。また、放送又は通信において、ユーザがチャンネルを選択した場合、通信部２２の受信周波数や通信先を変更することで、受信するチャンネルを変更する。
記憶部２１は、設定情報を記憶する。この設定情報は、入力部２０により設定され、又は、商品出荷時に設定され、或いは、ソフトウェアの更新により設定される。
【００５９】
通信部２２は、例えば、端子通信部２２−１、放送受信部２２−２、ＮＷ（ネットワーク）通信部２２−３を含んで構成される。
端子通信部２２−１は、映像信号生成装置１が送信した信号を受信する。端子通信部２２−１は、受信した信号を復調部２３−１へ出力する。端子通信部２２−１は、例えば、ＨＤＭＩ（登録商標）端子やＤ端子、ＵＳＢ（ユニバーサル・シリアル・バス）端子に接続されたケーブルから、信号を受信する。
【００６０】
放送受信部２２−２は、放送局装置Ｓ１１が送信した電波の信号を受信する。通信部２２−２は、受信した信号を復調部２３−２へ出力する。放送受信部２２−２は、例えば、チューナーであり、アンテナに接続されている。
ＮＷ通信部２２−３は、放送局装置Ｓ１１が送信した電波の信号を受信する。通ＮＷ通信部２２−３は、受信した信号からデータを抽出する。ＮＷ通信部２２−３は、抽出したデータを分離部２４−２へ出力する。ＮＷ通信部２２−３は、例えば、ネットワークボードであり、ＩＰ（Ｉｎｔｅｒｎｅｔ Ｐｒｏｔｏｃｏｌ）プロトコルに従って、情報を抽出する。
【００６１】
復調部２３−１は、端子通信部２２−１から入力された信号を復調し、復号が必要な場合には復調した信号を復号する。復調部２３−１は、復調又は復号した信号を、分離部２４−１へ出力する。
復調部２３−２は、放送受信部２２−２から入力された信号を復調し、復号が必要な場合には復調した信号を復号する。復調部２３−１は、復調又は復号した信号を、分離部２４−２へ出力する。
【００６２】
分離部２４−１、２４−２は、入力された信号から、映像信号と音声信号と制御情報を分離する。分離部２４−１、２４−２は、分離した映像信号を映像処理部Ｃ２へ出力し、制御情報を制御情報処理部２５へ出力する。
分離部２４−３は、入力された情報から、アプリケーション情報と音声信号と制御情報を分離する。アプリケーション情報とは、例えば、マークアップ言語（例えば、ＸＭＬ、ＨＴＭＬ）で記述された情報でも良いし、映像ファイルやプログラムであっても良い。分離部２４−３は、分離したアプリケーション情報をＡＰ処理部２６へ出力し、制御情報を制御情報処理部２５へ出力する。分離部２４−１、２４−２、２４−３は、分離した音声信号を音声処理部２８へ出力する。
ここで、端子通信部２２−１、復調部２３−１、及び、分離部２４−１は、映像信号生成装置１から拡張映像信号とその制御情報を取得し、拡張映像信号を映像処理部Ｃ２へ出力し、制御情報を制御情報処理部２５へ出力する。
【００６３】
制御情報処理部２５は、入力された制御情報から、予め定められたフォーマットに従って各パラメータの値（以下、「制御値」称する）を抽出する。制御値は、映像又は音声を処理する際に用いられ、又は、この値に基づいてユーザに情報が提示される。制御情報処理部２５は、抽出した制御値を表示制御処理部２７及び映像処理部Ｃ２へ出力する。
ＡＰ処理部２６は、入力されたアプリケーション情報から、当該アプリケーション情報に基づいた映像信号を生成する。ＡＰ処理部２６は、例えば、ブラウザ機能を有し、マークアップ言語から、映像信号を生成する。ＡＰ処理部２６は、生成した映像信号を映像処理部Ｃ２へ出力する。
表示制御処理部２７は、記憶部２１が記憶する設定情報、及び制御情報処理部２５から入力された制御値に従って、映像の表示を制御する。
【００６４】
映像処理部Ｃ２は、入力された映像信号から、制御情報処理部２５から入力された制御値、及び表示制御処理部の制御に基づいて、駆動信号を生成する。
映像処理部Ｃ２は、例えば、制御値が「拡張映像信号」を示す場合（図１０参照）、拡張映像信号を駆動信号に変換する処理（「拡張映像信号処理」とも称する）を行う。
拡張映像信号処理において、映像処理部Ｃ２は、１つのフレーム内の映像信号について、ＨＤＲ映像信号の部分に、ＨＤＲ用マッピングを用いて駆動信号を生成し、ＳＤＲ映像信号の部分に、ＨＤＲ用マッピングを用いて駆動信号を生成する。また、映像処理部Ｃ２は、例えば、ＨＤＲ−ＰＱ映像信号の部分に、ＨＤＲ−ＰＱ用マッピングを用いて駆動信号を生成し、ＨＤＲ−ＨＬＧ映像信号の部分に、ＨＤＲ−ＨＬＧ用マッピングを用いて駆動信号を生成する。
【００６５】
例えば、映像信号生成装置１がマルチ画面表示を行う場合、映像処理部Ｃ２は、合成映像信号が示す映像の画素（拡張映像信号が示す映像の画素）毎に、マッピングを選択し、選択したマッピングを用いて、当該画素の駆動信号を生成する。
より具体的には、映像処理部Ｃ２は、当該画素の画素映像方式情報がＨＤＲを示す場合、ＨＤＲ用マッピングを選択し、当該画素の合成映像信号にＨＤＲ用マッピングを用いて駆動信号を生成する。映像処理部Ｃ２は、当該画素の画素映像方式情報がＳＤＲを示す場合、ＳＤＲ用マッピングを選択し、当該画素の合成映像信号にＳＤＲ用マッピングを用いて駆動信号を生成する。同様に、映像処理部Ｃ２は、当該画素の画素映像方式情報がＨＤＲ−ＰＱを示す場合、ＨＤＲ−ＰＱ用マッピングを選択し、当該画素の合成映像信号にＨＤＲ−ＰＱ用マッピングを用いて駆動信号を生成する。映像処理部Ｃ２は、当該画素の画素映像方式情報がＨＤＲ−ＨＬＧを示す場合、ＨＤＲ−ＨＬＧ用マッピングを選択し、当該画素の合成映像信号にＨＤＲ−ＨＬＧ用マッピングを用いて駆動信号を生成する。
映像処理部Ｃ２は、生成した駆動信号を表示部２９２へ出力する。
上記のマッピングは、それぞれ異なったマッピングである。また、上記のマッピングは、ダイナミックレンジ（最大輝度値や方式も含む）に応じて異なるマッピングである。
【００６６】
また、拡張映像信号処理において、映像処理部Ｃ２は、画素映像方式情報に基づいて、表示部２９２のライトの光量を調整しても良い（「光量制御処理」とも称する）。例えば、表示部２９２が液晶ディスプレイの場合（図１２参照）、映像処理部Ｃ２は、バックライトの光量を、部分的に調整する。
具体的には、映像処理部Ｃ２は、１つのフレーム内の映像を表示するときの光量について、ＨＤＲ映像を表示する画素部分のライトの光量を、ＳＤＲ映像を表示する画素部分のライトの光量より増大させる。換言すれば、映像処理部Ｃ２は、ＨＤＲ映像を表示する画素部分のライトを、ＳＤＲ映像を表示する画素部分のライトより明るくする。例えば、映像処理部Ｃ２は、ライトの光量、出力の範囲を広げる、又は、最大値を高くする。
なお、映像処理部Ｃ２は、１つのライト（例えば、ＬＥＤライト）で光量又は光を調整しても良いし、複数のライトで光量又は光を調整しても良い。
【００６７】
音声処理部２８は、入力された音声信号から、音声駆動信号を生成する。音声処理部２８は、音声駆動信号をスピーカー２９１へ出力する。ここで、音声処理部２８は、映像処理部Ｃ２が出力する駆動信号と音声駆動信号を同期させて出力する。
出力部２９は、スピーカー２９１と表示部２９２を含んで構成される。
スピーカー２９１は、入力された音声駆動信号に基づいて、音を出力する。
表示部２９２は、入力された駆動信号に基づいて、映像を表示する。表示部２９２は、例えば、液晶パネルである。ただし、表示部２９２は、有機発光ダイオードパネルであっても良いし、ＭＥＭＳ（微小電気機械システム）を採用したパネルであっても良い。
【００６８】
＜拡張映像制御情報の一例＞
図１０は、本実施形態に係る制御情報のデータ構成の一例を表す概略図である。
図１０の制御情報は、拡張映像信号に関する制御情報（「拡張映像制御情報」とも称する）である。例えば、映像信号生成装置１は、拡張映像制御情報を生成し、制御情報として表示装置２へ通知する。なお、図１０の拡張映像制御情報は、ＥＤＩＤ（Ｅｘｔｅｎｄｅｄ Ｄｉｓｐｌａｙ Ｉｄｅｎｔｉｆｉｃａｔｉｏｎ Ｄａｔａ）として通知する場合の一例である。
【００６９】
拡張映像制御情報は、画素付加情報の有無、画素付加方式、画素付加ビット数が含まれている。
画素付加情報の有無は、画素付加情報が付加されているか否か、つまり、映像信号が拡張映像信号であるか否かを表す。画素付加方式は、画素付加情報が付加されている位置（ビット）を表す。例えば、画素付加方式が「００」の場合はサブ画素毎に画素付加情報が付加され（図７）、「０１」の場合は画素毎に画素付加情報が付加される（図８）。なお、画素付加方式が「１０」の場合、合成映像信号と画素映像方式信号は、それぞれ別のフォーマットに従って生成され、別々に通知される（第３の実施形態を参照）。
画素付加ビット数は、画素付加情報のビット数を示す。
【００７０】
図１０において、「バイト」は、ＥＤＩＤにおいて何番目のバイト（８ビット）のデータに情報が配置されているかを示す。この図では、Ｘ番目のバイトのデータに、拡張映像制御情報が配置されていることを表す。
Ｘ番目のバイトのうち、１番目の１ビットが「Ｂｉｔ０」である。この１番目のビットには、画素付加情報の有無を示す情報が配置される。Ｘ番目のバイトのうち、この２〜３番目の２ビットが「Ｂｉｔ１−２」である。２〜３番目の２ビットには、画素付加方式を示す情報が配置される。Ｘ番目のバイトのうち、４〜５番目の２ビットが「Ｂｉｔ３−４」である。この４〜５番目の２ビットには、画素付加ビット数を示す情報が配置される。
【００７１】
＜映像処理部について＞
図１１は、本実施形態に係る映像処理部Ｃ２の構成を示す概略ブロック図である。
映像処理部Ｃ２は、フレーム信号取得部Ｃ２１、画素信号取得部Ｃ２２、拡張方式取得部Ｃ２３、選択部Ｃ２４、信号生成部Ｃ２５、レイヤ合成部Ｃ２６、及び、光調整部Ｃ２７を含んで構成される。なお、映像処理部Ｃ２は、その他、映像信号から駆動信号を生成する回路の一般的な公知の機能を備えても良い。
【００７２】
フレーム信号取得部Ｃ２１は、制御情報処理部２５から入力された制御値に基づいて、入力された映像信号について、各フレームの開始と終了のビットを選択する。つまり、フレーム信号取得部Ｃ２１は、フレーム単位の映像信号（「フレーム映像信号」と称する）を取得する。フレーム信号取得部Ｃ２１は、フレーム毎に、フレーム映像信号を画素信号取得部Ｃ２２へ出力する。
【００７３】
画素信号取得部Ｃ２２は、制御情報処理部２５から入力された制御値に基づいて、入力されたフレーム映像信号について、各画素の映像信号を取得する。
画素信号取得部Ｃ２２は、制御値のうち、画素付加情報の有無を示す情報が「１」の場合、映像信号が拡張映像信号であると判定する。この場合、画素信号取得部Ｃ２２は、画素信号取得部Ｃ２２は、１つの画素の拡張映像信号から、画素付加情報を抽出する。
より具体的には、画素付加伝送方式及び画素付加ビット数が「００」のとき、画素信号取得部Ｃ２２は、各サブ画素の拡張映像信号から、２ビットの信号を画素付加情報として抽出する。一方、画素付加伝送方式が「０１」で画素付加ビット数が「００」のとき、画素信号取得部Ｃ２２は、各画素の拡張映像信号から、２ビットの信号を画素付加情報として抽出する。なお、映像部分（例えば、合成映像信号の部分）のビット数は、予めさだめられている。画素信号取得部Ｃ２２は、このビット数のビットの後、２ビットの信号を画素付加情報として抽出する。
画素信号取得部Ｃ２２は、抽出した画素付加情報を、拡張方式取得部Ｃ２３へ出力する。
【００７４】
また、映像信号が拡張映像信号である場合には、画素信号取得部Ｃ２２は、入力された映像信号から画素付加情報を取り除いた映像信号を、信号生成部Ｃ２５へ出力する。この映像信号は、映像信号生成装置１がマルチ画面表示を行う場合、合成映像信号である。
画素信号取得部Ｃ２２は、制御値のうち、画素付加情報の有無を示す情報が「０」の場合、映像信号が拡張映像信号でないと判定する。映像信号が拡張映像信号でない場合には、画素信号取得部Ｃ２２は、入力された映像信号を信号生成部Ｃ２５へ出力する。
画素信号取得部Ｃ２２は、映像信号を、画素毎に、信号生成部Ｃ２５へ出力する。信号生成部Ｃ２５へ出力され、信号生成部Ｃ２５の処理対象となっている画素を、「対象画素」とも称する。
【００７５】
拡張方式取得部Ｃ２３は、画素信号取得部Ｃ２２から入力された画素付加情報から、画素映像方式情報を抽出する。拡張方式取得部Ｃ２３は、抽出した画素映像方式情報を選択部Ｃ２４へ出力する。
【００７６】
選択部Ｃ２４は、対象画素について、拡張方式取得部Ｃ２３から入力された画素映像方式情報に基づいて、駆動信号生成部Ｃ２５２−１〜Ｃ２５２−ｍのうち、いずれか１つの駆動信号生成部Ｃ２５２−ｍ（ｍ＝１、２、・・・Ｍ）を選択する。具体的には、選択部Ｃ２４は、画素映像方式情報が表わす値に応じて、スイッチＣ２５１を開閉する。
例えば、選択部Ｃ２４は、画素映像方式情報が「０１」の場合、対象画素の映像信号がＨＤＲ−ＰＱと判断する。この場合、選択部Ｃ２４は、駆動信号生成部Ｃ２５２−２を選択する。選択部Ｃ２４は、対象画素の映像信号、つまり、１画素分の映像信号が駆動信号生成部Ｃ２５２−２に入力されるまで、スイッチＣ２５１−２を閉じて他のスイッチを開く。
【００７７】
同様に、選択部Ｃ２４は、画素映像方式情報が「１０」の場合、画素の映像信号がＨＤＲ−ＨＬＧと判断する。この場合、選択部Ｃ２４は、駆動信号生成部Ｃ２５２−３を選択し、対象画素の映像信号が駆動信号生成部Ｃ２５２−３に入力されるまで、スイッチＣ２５１−３を閉じて他のスイッチを開く。
選択部Ｃ２４は、画素映像方式情報が「１１」の場合、対象画素の映像信号がＳＤＲと判断する。この場合、選択部Ｃ２４は、駆動信号生成部Ｃ２５２−４を選択し、対象画素の映像信号が駆動信号生成部Ｃ２５２−４に入力されるまで、スイッチＣ２５１−４を閉じて他のスイッチを開く。
選択部Ｃ２４は、画素映像方式情報が「００」の場合、対象画素の映像信号の映像方式は不明であると判断する。この場合、選択部Ｃ２４は、駆動信号生成部Ｃ２５２−１を選択する。選択部Ｃ２４は、デフォルト設定では、駆動信号生成部Ｃ２５２−１を選択する。
【００７８】
また、選択部Ｃ２４は、入力された画素映像方式情報を、光調整部Ｃ２７へ出力する。
なお、選択部Ｃ２４は、制御値として、画面全体の輝度値や映像方式を取得しても良い。このとき、例えば、画素映像方式情報が「００」の場合、画面全体の映像方式に基づいて、駆動信号生成部Ｃ２５２−ｍを選択する。一方、画素映像方式情報が「００」以外の場合、画像全体の映像方式を無視して（採用せず）、画素映像方式情報が示す映像方式に基づいて、駆動信号生成部Ｃ２５２−ｍを選択する。換言すれば、選択部Ｃ２４は、画面全体の映像方式よりも、画素映像方式情報が示す映像方式、つまり、画素単位の映像方式を優先する。
【００７９】
駆動信号生成部Ｃ２５２−ｍは、対象画素毎に、入力された映像信号（例えば、合成映像信号）から駆動信号を生成する。駆動信号生成部Ｃ２５２−ｍは、それぞれ、予め定められたマッピングを用いて、入力された映像信号から駆動信号を生成する。これらのマッピングは、駆動信号生成部Ｃ２５２−ｍ毎に異なる。例えば、これらのマッピングでは、互いにＯＥＴＦやＥＯＴＦが異なる。また、このマッピングは、回路で構成されても良いし、データとして記憶されていても良い。
なお、駆動信号生成部Ｃ２５２−ｍは、色域変換を行っても良く、映像信号に対して色域変換の後に又は前に、マッピングを用いても良い。
【００８０】
駆動信号生成部Ｃ２５２−１は、入力された映像信号に、予め定められたマッピング（「デフォルトマッピング」とも称する）を用いて駆動信号を生成する。
駆動信号生成部Ｃ２５２−２は、入力された映像信号に、ＨＤＲ−ＰＱ用マッピングを用いて駆動信号を生成する。つまり、駆動信号生成部Ｃ２５２−２に入力される映像信号は、ＨＤＲ−ＰＱ映像信号である。
駆動信号生成部Ｃ２５２−３は、入力された映像信号に、ＨＤＲ−ＨＬＧ用マッピングを用いて駆動信号を生成する。つまり、駆動信号生成部Ｃ２５２−２に入力される映像信号は、ＨＤＲ−ＨＬＧ映像信号である。
駆動信号生成部Ｃ２５２−４は、入力された映像信号に、ＳＤＲ用マッピングを用いて駆動信号を生成する。つまり、駆動信号生成部Ｃ２５２−２に入力される映像信号は、ＳＤＲ映像信号である。なお、ＳＤＲ用マッピングとデフォルトマッピングは同じでも良く、この場合選択部は、画素映像方式情報が「００」の場合と「１１」の場合、駆動信号生成部Ｃ２５２−４を選択する。
【００８１】
レイヤ合成部Ｃ２６は、表示制御処理部２７の制御に従って、映像や文字情報（字スーパーや字幕）を合成する。例えば、レイヤ合成部Ｃ２６は、制御値によって文字情報の付加が指示されている場合、入力された駆動信号の一部に対して、文字情報を示す駆動信号で書き換える。つまり、レイヤ合成部Ｃ２６は、映像信号が表わす映像のレイヤに対して、文字スーパーや字幕等の別のレイヤを重ねることで、レイヤを合成する。レイヤ合成部Ｃ２６は、レイヤを合成した駆動信号を、表示部２９２へ出力する。
【００８２】
光調整部Ｃ２７は、選択部Ｃ２４から入力された画素映像方式情報に基づいて、光量制御処理を行う。光調整部Ｃ２７は、対象画素に最も近い位置を照らす光源（ライト）について、出力値を決定する。光調整部Ｃ２７は、光源の出力値について、画素映像方式情報が示す映像方式がＨＤＲの場合、映像方式がＳＤＲの場合と比較して、より高い値に決定する。なお、光調整部Ｃ２７は、１つの光源に対して、複数の対象画素が存在する場合には、予め定められた規則に従って、出力値を決定する。
【００８３】
例えば、光調整部Ｃ２７は、１つの光源に対する対象画素について、映像方式が１つでもＨＤＲと判定される場合には、ＳＤＲの場合と比較して高い出力値としても良い。逆に、光調整部Ｃ２７は、１つの光源に対する対象画素について、映像方式が１つでもＳＤＲと判定される場合には、ＨＤＲの場合と比較して低い出力値としても良い。例えば、光調整部Ｃ２７は、光源の出力値を５段階で調整する場合に、ＨＤＲの場合の出力値を最も高い「５」とし、ＳＤＲの場合の出力値を「３」とする。なお、画素が黒色の場合には、画素に対する光源について、出力値を最も低い「０」とする。出力値「０」は、光を消させる値であっても良い。また、光調整部Ｃ２７は、ＨＤＲ−ＰＱの場合に出力値を「５」とし、ＨＤＲ−ＨＬＧの場合に出力値を「４」としても良い。逆に、光調整部Ｃ２７は、ＨＤＲ−ＰＱの場合に出力値を「４」とし、ＨＤＲ−ＨＬＧの場合に出力値を「５」としても良い。
光調整部Ｃ２７は、生成した出力値を示す信号（「光制御信号」とも称する）を、スピーカー２９１へ出力する。ここで、光調整部Ｃ２７は、レイヤ合成部Ｃ２６が出力する駆動信号と光制御信号を、フレーム単位で同期させて出力する。
【００８４】
図１２は、本実施形態に係る光量制御処理を説明する説明図である。
図１２は、表示部２９２が液晶パネルの場合に、液晶部分とバックライト部分を模式的に表している。この図では、便宜上、模式的に、液晶Ｐ１とバックライトＢＬ１を離して表している。なお、バックライトは、直下型であり、複数の光源（ＬＥＤライト）各々の出力値を制御することで、部分駆動が可能なバックライトである。
液晶Ｐ１には、映像Ｉ２１、Ｉ２２、Ｉ２３が表示されている。ここで、映像Ｉ２１はＳＤＲ映像、映像Ｉ２２はＨＤＲ−ＨＬＧ映像、映像Ｉ２３はＨＤＲ−ＰＱ映像である。バックライト上に示した領域Ｌ１１、Ｌ１２、Ｌ１３は、それぞれ、液晶Ｐ１の映像Ｉ２１、Ｉ２２、Ｉ２３の直下の領域である。
光調整部Ｃ２７は、領域Ｌ１２と領域Ｌ１３に含まれる光源に対して、領域Ｌ１１に含まれる光源よりも高い出力値に決定し、この高い出力値を示す光制御信号を出力する。
【００８５】
＜映像信号生成装置の動作について＞
図１３は、本実施形態に係る映像信号生成装置１の動作の一例を示すフロー図である。
（ステップＳ１０１）方式取得部１２は、各映像について、当該映像の制御情報の一部から映像方式を取得する。その後、ステップＳ１０１へ進む。
（ステップＳ１０２）拡張信号生成部１６は、ステップＳ１０１で取得した各映像の映像方式と設定情報に基づいて、複数の映像方式の映像信号が混在しているか否かを判定する。複数の映像方式の映像信号が混在していると判定された場合（ＹＥＳ）、ステップＳ１０３へ進む。一方、複数の映像方式の映像信号が混在していないと判定された場合（ＮＯ）、ステップＳ１２３へ進む。
【００８６】
（ステップＳ１０３）拡張信号生成部１６は、取得した合成映像信号について、フォーマット情報に従って、１つのフレームを開始させるビットであるか否かを判定する。ここで、フォーマット情報とは、映像信号生成装置１が送信する映像信号のフォーマットを示す情報である。
１つのフレームを開始させるビット列であると判定した場合（ＹＥＳ）、拡張信号生成部１６は、ビット列に、特定の信号（「フレーム開始系列」とも称する）を配置する。その後、ステップＳ１０４へ進む。この場合、以降の動作では、フレーム単位の動作が行われる。一方、１つのフレームが開始するビットではないと判定された場合（ＮＯ）、ステップＳ１０３に戻る。
【００８７】
（ステップＳ１０４）拡張信号生成部１６は、フォーマット情報に従って、１つの画素を開始させるビット（「画素開始ビット」とも称する）であるか否かを判定する。
画素開始ビットであると判定された場合（ＹＥＳ）、ステップＳ１０５へ進む。この場合、以降の動作では、画素単位の動作が行われる。一方、画素開始ビットでないと判定された場合（ＮＯ）、ステップＳ１０４へ戻る。
（ステップＳ１０５）拡張信号生成部１６は、１つの画素の合成映像信号を、順次、ビットに配置する。その後、ステップＳ１０６へ進む。
【００８８】
（ステップＳ１０６）拡張信号生成部１６は、フォーマット情報に従って、１つの画素の合成映像信号を配置するビット列（「画素映像ビット列」とも称する）を終了させるか否かを判定する。例えば、拡張信号生成部１６は、画素開始ビット以降のビット数をカウントし、１０ビットに達した場合には、画素映像ビット列を終了させる判定する。画素映像ビット列を終了させると判定された場合（ＹＥＳ）、ステップＳ１０７へ進む。一方、画素映像ビット列を終了させないと判定された場合（ＮＯ）、ステップＳ１０５へ戻る。
【００８９】
（ステップＳ１０７）拡張信号生成部１６は、直前のステップＳ１０５で配置された合成映像信号が表わす映像について、ステップＳ１０１で取得した映像方式を参照する。拡張信号生成部１６は、参照した映像方式を示す信号を、画素付加信号としてビットに配置する。その後、ステップＳ１０８へ進む。
（ステップＳ１０８）拡張信号生成部１６は、フォーマット情報に従って、画素付加信号を配置するビット列（「画素付加ビット列」とも称する）を終了させる否かを判定する。例えば、拡張信号生成部１６は、画素映像ビット列より後のビット数をカウントし、２ビットに達した場合には、画素付加ビット列を終了させると判定する。画素付加ビット列を終了させると判定された場合（ＹＥＳ）、ステップＳ１０９へ進む。一方、画素付加ビット列を終了させないと判定された場合（ＮＯ）、ステップＳ１０８へ戻る。
以上のステップＳ１０５からＳ１０８の動作により、拡張信号生成部１６は、１つの画素に、画素映像ビット列（例えば、１０ビット）の後に画素付加ビット列（例えば、２ビット）を配置する。画素毎に、画素映像ビット列に画素付加ビット列が付加されたビット列（例えば、１２ビット）を「画素ビット列」とも称する。
なお、画素映像ビット列に合成映像信号が配置され、画素映像ビット列に画素付加信号が配置された信号が、本実施形態に係る拡張映像信号である。また、「画素ビット列」に配置された拡張映像信号は、画素の拡張映像信号である。
【００９０】
（ステップＳ１０９）拡張信号生成部１６は、１つのフレームの全画素について、ステップＳ１０４からＳ１０８の動作が終了したか否かを判定する。全画素について動作が終了したと判定された場合（ＹＥＳ）、動作を完了する。この場合、次のフレームについて、図１３の動作が開始される。一方、全画素について動作が終了していないと判定された場合（ＮＯ）、ステップＳ１０４に戻り、次の画素に対してステップＳ１０５からＳ１０８の動作が行われる。
【００９１】
（ステップＳ１２３）拡張信号生成部１６は、取得した合成映像信号について、フォーマット情報に従って、１つのフレームを開始させるビットであるか否かを判定する。なお、ステップＳ１２３以降で用いられるフォーマット情報は、ステップＳ１０３以降で用いられるフォーマット情報とは異なる。
１つのフレームを開始させるビット列であると判定した場合（ＹＥＳ）、拡張信号生成部１６は、ビット列に、フレーム開始系列を配置する。その後、ステップＳ１２４へ進む。一方、１つのフレームが開始するビットではないと判定された場合（ＮＯ）、ステップＳ１２３に戻る。
（ステップＳ１２４）拡張信号生成部１６は、フォーマット情報に従って、画素開始ビットであるか否かを判定する。画素開始ビットであると判定された場合（ＹＥＳ）、ステップＳ１２５へ進む。この場合、以降の動作では、画素単位の動作が行われる。一方、画素開始ビットでないと判定された場合（ＮＯ）、ステップＳ１２４へ戻る。
【００９２】
（ステップＳ１２５）拡張信号生成部１６は、拡張信号生成部１６は、１つの画素の合成映像信号を、順次、ビットに配置する。その後、ステップＳ１２６へ進む。
（ステップＳ１２６）拡張信号生成部１６は、フォーマット情報に従って、画素映像ビット列を終了させるか否かを判定する。画素映像ビット列を終了させると判定された場合（ＹＥＳ）、ステップＳ１２９へ進む。一方、画素映像ビット列を終了させないと判定された場合（ＮＯ）、ステップＳ１２５へ戻る。
（ステップＳ１２９）拡張信号生成部１６は、１つのフレームの全画素について、ステップＳ１２４からＳ１２６までの動作が終了したか否かを判定する。全画素について動作が終了したと判定された場合（ＹＥＳ）、動作を完了する。この場合、次のフレームについて、図１３の動作が開始される。一方、全画素について動作が終了していないと判定された場合（ＮＯ）、ステップＳ１２４に戻り、次の画素に対してステップＳ１２５からＳ１２６までの動作が行われる。
【００９３】
＜表示装置の動作について＞
図１４は、本実施形態に係る表示装置２の動作の一例を示すフロー図である。
（ステップＳ２０１）制御情報処理部２５は、制御情報のうち、拡張映像制御情報を参照する。制御情報処理部２５は、拡張映像制御情報に記述された変数とその制御値を抽出する。その後、ステップＳ２０２へ進む。
（ステップＳ２０２）画素信号取得部Ｃ２２は、制御情報に基づいて、映像信号が拡張映像信号であるか否かと判定する。具体的には、画素信号取得部Ｃ２２は、ステップＳ２０１で抽出された変数のうち、画素付加情報の有無が「有」（０１）の場合に拡張映像信号であると判定し、「無」（００）の場合に拡張映像信号でないと判定する。
拡張映像信号であると判定された場合（ＹＥＳ）、ステップＳ２０３へ進む。一方、拡張映像信号でないと判定された場合（ＮＯ）、ステップＳ２２３へ進む。
【００９４】
（ステップＳ２０３）フレーム信号取得部Ｃ２１は、取得した映像信号（拡張映像信号）について、フォーマット情報に従って、１つのフレームが開始されるか否かを判定する。例えば、フレーム信号取得部Ｃ２１は、フレーム開始系列を検出し、フレーム開始系列を検出した場合に１つのフレームが開始されると判定する。
１つのフレームが開始されると判定した場合（ＹＥＳ）、フレーム信号取得部Ｃ２１は、フレーム映像信号を画素信号取得部Ｃ２２へ出力する。その後、ステップＳ２０４へ進む。この場合、以降の動作では、フレーム単位の動作が行われる。一方、１つのフレームが開始されないと判定した場合（ＮＯ）、ステップＳ２０３に戻る。
なお、表示装置２は、制御情報を用いてフォーマット情報を通知されても良いし、制御情報を用いてフォーマット情報の識別情報を指示されても良い。
【００９５】
（ステップＳ２０４）画素信号取得部Ｃ２２は、フォーマット情報に従って、画素開始ビットであるか否かを判定する。画素開始ビットであると判定された場合（ＹＥＳ）、ステップＳ２０５へ進む。この場合、以降の動作では、画素単位の動作が行われる。ここで、動作（処理）の対象となる画素が、対象画素である。一方、画素開始ビットでないと判定された場合（ＮＯ）、ステップＳ２０４へ戻る。
（ステップＳ２０５）画素信号取得部Ｃ２２は、１つの画素の合成映像信号を、順次、ビットから取得する。つまり、画素ビット列のうち、画素映像ビット列のビットを順次、取得する。その後、ステップＳ２０６へ進む。
【００９６】
（ステップＳ２０６）画素信号取得部Ｃ２２は、フォーマット情報に従って、画素映像ビット列が終了したか否かを判定する。例えば、画素信号取得部Ｃ２２は、画素開始ビット以降のビット数をカウントし、１０ビットに達した場合には、画素映像ビット列が終了したと判定する。画素映像ビット列が終了したと判定された場合（ＹＥＳ）、ステップＳ２０７へ進む。この場合、画素信号取得部Ｃ２２は、画素映像ビット列から、対象画素の合成映像信号の全てを取得している。一方、画素映像ビット列が終了していないと判定された場合（ＮＯ）、ステップＳ２０５へ戻る。
【００９７】
（ステップＳ２０７）画素信号取得部Ｃ２２は、画素付加信号を、順次、ビットから取得する。つまり、画素ビット列のうち、画素付加ビット列のビットを順次、取得する。その後、ステップＳ２０８へ進む。
（ステップＳ２０８）画素信号取得部Ｃ２２は、フォーマット情報に従って、画素付加ビット列が終了したか否かを判定する。例えば、画素信号取得部Ｃ２２は、画素付加ビット列より後のビット数をカウントし、２ビットに達した場合には、画素付加ビット列が終了したと判定する。画素付加ビット列が終了したと判定された場合（ＹＥＳ）、ステップＳ２０９へ進む。この場合、画素信号取得部Ｃ２２は、画素付加ビット列から、対象画素の画素付加信号の全てを取得している。一方、画素付加ビット列が終了していないと判定された場合（ＮＯ）、ステップＳ２０８へ戻る。
【００９８】
（ステップＳ２０９）拡張方式取得部Ｃ２３は、フォーマット情報に従って、ステップＳ２０８で取得された画素付加信号が示す画素付加情報から、画素映像方式情報を抽出する。この画素映像方式情報は、対象画素の映像方式を示している。その後、ステップＳ２１０へ進む。
（ステップＳ２１０）選択部Ｃ２４は、ステップＳ２０９で抽出された画素映像方式情報に基づいて、マッピングを選択する。具体的には、選択部Ｃ２４は、画素映像方式情報が示す映像方式のマッピング（選択マッピング）を用いる駆動信号生成部Ｃ２５２−ｍを選択する。例えば、選択部Ｃ２４は、駆動信号生成部Ｃ２５２−２〜Ｃ２５２−４のうち、いずれかの駆動信号生成部Ｃ２５２−ｍを選択する。その後、ステップＳ２１１へ進む。
【００９９】
（ステップＳ２１１）選択部Ｃ２４は、ステップＳ２１０で選択された駆動信号生成部Ｃ２５２−ｍに、ステップＳ２０５で取得した合成映像信号を入力する。つまり、選択部Ｃ２４は、この駆動信号生成部Ｃ２５２−ｍに、対象画素の合成映像信号を入力する。
ステップＳ２１０で選択された駆動信号生成部Ｃ２５２−ｍは、入力された合成映像信号に、駆動信号生成部Ｃ２５２−ｍに設定されたマッピングを用いて、駆動信号を生成する。その後、ステップＳ２１２へ進む。
【０１００】
（ステップＳ２１２）１つのフレームの全画素について、ステップＳ２０４からＳ２１１までの動作が終了した場合（ＹＥＳ）、動作を完了する。この場合、次のフレームについて、図１４の動作が開始される。一方、それ以外の場合（ＮＯ）、ステップＳ２０４に戻り、次の画素を対象画素とし、対象画素に対してステップＳ２０５からＳ２１１までの動作が行われる。
【０１０１】
（ステップＳ２２３）フレーム信号取得部Ｃ２１は、取得した映像信号について、フォーマット情報に従って、１つのフレームが開始されるか否かを判定する。なお、ステップＳ２２３以降で用いられるフォーマット情報は、ステップＳ２０３以降で用いられるフォーマット情報とは異なる。
１つのフレームが開始されると判定した場合（ＹＥＳ）、フレーム信号取得部Ｃ２１は、フレーム映像信号を画素信号取得部Ｃ２２へ出力する。その後、ステップＳ２２４へ進む。この場合、以降の動作では、フレーム単位の動作が行われる。一方、１つのフレームが開始されないと判定した場合（ＮＯ）、ステップＳ２２３に戻る。
【０１０２】
（ステップＳ２２４）画素信号取得部Ｃ２２は、フォーマット情報に従って、画素開始ビットであるか否かを判定する。画素開始ビットであると判定された場合（ＹＥＳ）、ステップＳ２２５へ進む。この場合、以降の動作では、画素単位の動作が行われる。一方、画素開始ビットでないと判定された場合（ＮＯ）、ステップＳ２２４へ戻る。
（ステップＳ２２５）画素信号取得部Ｃ２２は、１つの画素の合成映像信号を、順次、ビットから取得する。その後、ステップＳ２２６へ進む。
【０１０３】
（ステップＳ２２６）画素信号取得部Ｃ２２は、フォーマット情報に従って、画素映像ビット列が終了したか否かを判定する。例えば、画素信号取得部Ｃ２２は、画素開始ビット以降のビット数をカウントし、１０ビットに達した場合には、画素映像ビット列が終了したと判定する。画素映像ビット列が終了したと判定された場合（ＹＥＳ）、ステップＳ２３１へ進む。この場合、画素信号取得部Ｃ２２は、画素映像ビット列から、対象画素の合成映像信号の全てを取得している。一方、画素映像ビット列が終了していないと判定された場合（ＮＯ）、ステップＳ２２５へ戻る。
【０１０４】
（ステップＳ２３１）選択部Ｃ２４は、予め定められた駆動信号生成部Ｃ２５２−１に、ステップＳ２２５で取得した合成映像信号を入力する。つまり、選択部Ｃ２４は、この駆動信号生成部Ｃ２５２−１に、対象画素の合成映像信号を入力する。
駆動信号生成部Ｃ２５２−１は、入力された合成映像信号に、デフォルトマッピングを用いて、駆動信号を生成する。その後、ステップＳ２３２へ進む。
（ステップＳ２３２）１つのフレームの全画素について、ステップＳ２２４からＳ２２６までの動作が終了した場合（ＹＥＳ）、動作を完了する。この場合、次のフレームについて、図１４の動作が開始される。一方、それ以外の場合（ＮＯ）、ステップＳ２２４に戻り、次の画素を対象画素とし、対象画素に対してステップＳ２２５からＳ２２６までの動作が行われる。
【０１０５】
このように、本実施形態によれば、映像処理システムＳ（信号処理システム）は、映像信号生成装置１（信号生成装置）と表示装置２（出力装置）を具備する。
信号生成装置１の信号合成部１３及び拡張信号生成部１６（信号生成部）は、ＨＤＲ（第１映像方式）のＨＤＲ映像（第１映像）を表すＨＤＲ映像信号（第１映像信号）と、ＨＤＲとダイナミックレンジの方式が異なるＳＤＲ（第２映像方式）のＳＤＲ映像（第２映像）を表すＳＤＲ映像信号（第２映像信号）と、を１つのフレーム内に含む合成映像信号（第３映像信号）を生成する。
表示装置２の映像処理部Ｃ２（処理部）は、１つのフレーム内の合成映像信号について、ＨＤＲ映像信号の部分に、ＨＤＲ用マッピングを用いて駆動信号を生成し、ＳＤＲ映像信号の部分に、ＳＤＲ用マッピングを用いて駆動信号を生成する。
これにより、映像処理システムＳは、１つの画面上で部分的にＨＤＲとＳＤＲを変えることができる。
なお、ＨＤＲは、複数の映像方式（ＨＤＲ−ＰＱ、ＨＤＲ−ＨＬＧ）があっても良い。また、ＨＤＲを第１映像方式、ＳＤＲを第２映像方式として説明するが、本発明はこれに限らず、逆であっても良い。つまり、ＳＤＲが第１映像方式、ＨＤＲが第２映像方式であっても良い（以下、同様）。
【０１０６】
また、本実施形態によれば、拡張信号生成部１６は、合成映像信号の画素単位で映像方式（例えば、ＨＤＲ又はＳＤＲ）を示す画素映像方式情報を生成する。
映像処理部Ｃ２は、対象画素毎に、対象画素の画素映像方式情報がＨＤＲを示す場合、ＨＤＲ用マッピングを選択し、ＨＤＲ映像信号にＨＤＲ用マッピングを用いて駆動信号を生成する。映像処理部Ｃ２は、対象画素毎に、対象画素の画素映像方式情報がＨＤＲを示す場合、ＨＤＲ用マッピングを選択し、ＳＤＲ映像信号にＳＤＲ用マッピングを用いて駆動信号を生成する。また、出力部２９は、この駆動信号に基づいて、合成映像信号が表わす映像のうち、ＨＤＲ映像の部分をＨＤＲ映像として表示し、ＳＤＲ映像の部分をＳＤＲ映像として表示する。
これにより、映像処理システムＳは、１つの画面上で、画素単位で、ＨＤＲ映像とＳＤＲ映像の両方を表示することができる。
また、例えば、映像処理システムＳは、１つの画面上で、各映像方式の映像のサイズや、各映像の表示領域の形状を設定又は変更できる。これにより、映像処理システムＳは、様々な大きさ、形状の映像って映像方式の異なる映像についても、その映像を同時に又は部分的に表示できる。
【０１０７】
また、本実施形態によれば、拡張信号生成部１６は、ＨＤＲ−ＰＱ方式のＨＤＲ−ＰＱ映像を表すＨＤＲ−ＰＱ映像信号、又は、ＨＤＲ−ＨＬＧ方式のＨＤＲ−ＨＬＧ映像を表すＨＤＲ−ＨＬＧ映像信号を、１つのフレーム内に含む合成映像信号を生成しても良い。
映像処理部Ｃ２は、合成映像信号の画素の画素映像方式情報がＨＤＲ−ＰＱを示す場合、ＨＤＲ−ＰＱ映像信号を駆動信号にマッピングするＨＤＲ−ＰＱ用マッピングを選択する。映像処理部Ｃ２は、前記第３映像信号の画素の前記画素映像方式情報が前記ＨＤＲを示す場合、前記ＨＤＲ−ＨＬＧ映像信号を駆動信号にマッピングするＨＤＲ−ＨＬＧ用マッピングを前記第１マッピングとして選択し、前記ＨＤＲ−ＨＬＧ映像信号にＨＤＲ−ＨＬＧ用マッピングを用いて駆動信号を生成する。
出力部２９は、駆動信号に基づいて、合成映像信号が表わす映像のうち、ＨＤＲ−ＰＱ映像の部分をＨＤＲ−ＰＱ映像として表示し、ＨＤＲ−ＨＬＧ映像の部分をＨＤＲ−ＨＬＧ映像として表示する。
これにより、映像処理システムＳは、１つの画面上で、画素単位で、ＨＤＲ−ＰＱ映像とＨＤＲ−ＨＬＧ映像の両方を表示することができる。
【０１０８】
また、本実施形態によれば、拡張信号生成部１６は、合成映像信号の画素毎に、合成映像信号を示す画素映像ビット列（第１ビット列）に対して、当該画素の映像方式情報を示す画素付加ビット列（第２ビット列）を付加する。これにより、拡張信号生成部１６は、合成映像信号の画素毎に、画素映像ビット列と画素付加ビット列を、画素ビット列として含む拡張映像信号を生成する。
映像処理部Ｃ２は、合成映像信号の画素毎に（拡張映像信号の画素毎に）、拡張映像信号から画素映像ビット列と画素付加ビット列を抽出し、当該画素映像ビット列がＨＤＲを示す場合に当該画素映像ビット列にＨＤＲ用マッピングを用いて駆動信号を生成する。映像処理部Ｃ２は、当該画素映像ビット列がＳＤＲを示す場合に当該画素映像ビット列にＳＤＲ用マッピングを用いて駆動信号を生成する。
これにより、映像処理システムＳは、画素映像ビット列と画素付加ビット列を、画素毎に併せて通知でき、また、抽出できる。例えば、合成映像信号と画素映像方式情報を別々に通知、抽出する場合と比較して、映像処理システムＳは、より容易に同期を取ることができる。また、合成映像信号と画素映像方式情報の一方のみを喪失する可能性が低いので、映像処理システムＳは、より確実に、ＨＤＲ映像とＳＤＲ映像の両方を表示することができる。
【０１０９】
また、本実施形態によれば、設定部１５は、ＨＤＲ映像の表示位置とＳＤＲ映像の表示位置を設定する。映像信号取得部１１は、第１伝送路でＨＤＲ映像信号を受信し、第２伝送路でＳＤＲ映像信号を受信する。ここで、伝送路としては、例えば、放送伝送路、ケーブル、インターネット或いはＬＡＮ、自装置内の配線がある。また、第１伝送路と第２伝送路は、これらの伝送路のうち、異なる伝送路である。方式取得部１２は、第１伝送路で取得した信号からＨＤＲ映像信号の映像方式（ＨＤＲ）を示す第１映像方式情報を取得し、第１伝送路又は第２伝送路で取得した信号からＳＤＲ映像信号の映像方式（ＳＤＲ）を示す第２映像方式情報を取得する。映像処理部Ｃ２は、ＨＤＲ映像の表示位置の画素について第１映像方式情報に基づいて画素映像方式情報を生成し、ＳＤＲ映像の表示位置の画素について第２映像方式情報に基づいて画素映像方式情報を生成する。
このように、映像処理システムＳでは、映像信号生成装置１は、合成する映像の映像方式を取得し、それぞれの映像を表示する表示位置の画素に対して、取得した映像方式を示す画素映像方式信号を配置する。これにより、映像処理システムＳは、１つの画面上で、ＨＤＲ映像とＳＤＲ映像の両方を表示することができる。
【０１１０】
また、本実施形態によれば、通信部２２（拡張映像信号取得部）は、ＨＤＲ映像信号と、ＨＤＲとダイナミックレンジの方式が異なるＳＤＲ映像信号と、を１つのフレーム内に含む合成映像信号を取得する。映像処理部Ｃ２（光量調整部Ｃ２７）は、１つのフレーム内の合成映像信号が表わす映像を表示するときの光量について、ＨＤＲ映像を表示する画素部分の光量を、ＳＤＲ映像を表示する画素部分の光量よりも、増大させる。
これにより、映像処理システムＳは、ＨＤＲとＳＤＲに応じて、例えばバックライトを部分駆動させることができる。これにより、映像処理システムＳは、ＨＤＲ映像の部分とＳＤＲ映像の部分で、発光可能な光量範囲を変更することができる。
【０１１１】
（第２の実施形態）
以下、図面を参照しながら本発明の第２の実施形態について詳しく説明する。
本実施形態では、映像処理システムＳにおいて、放送局等の映像信号生成装置１は、映像信号又は拡張映像信号を放送する。本実施形態に係る表示装置２ａは、放送を受信し、受信した放送に基づいて、ダイナミックレンジ又はその方式が互いに異なる映像についてマルチ画面表示を行う。
なお、放送局等の装置は、映像信号生成装置１のすべてを備えなくても良い。例えば、映像は、予め合成されたものを装置に入力しても良い。つまり、放送局等の装置は、拡張映像信号を送信可能なものであれ良い。
【０１１２】
＜制御情報の一例＞
図１５は、本発明の第２の実施形態に係る放送のデータ構成の一例を表す概略図である。
この図は、図４の制御情報の「ｖｉｄｅｏ＿ｄｒ＿ｆｌａｇ」の値を表す。ただし、図４の制御情報の場合とは、取り得る値が異なる。なお、図４の制御情報と同様に、例えば、「ｖｉｄｅｏ＿ｄｒ＿ｆｌａｇ」は、ＭＭＴ方式の場合、映像方式情報は、ＭＰＴに含まれ、また、ＭＰＴのアセット記述子領域に含まれても良い。
ｖｉｄｅｏ＿ｄｒ＿ｆｌａｇは、映像方式、画素付加情報の有無、及び、画素付加伝送方式を表す。具体的には、ｖｉｄｅｏ＿ｄｒ＿ｆｌａｇは、「００」が「ＳＤＲ」であることを示し、「０１」が「ＨＤＲ」であることを示す。また、ｖｉｄｅｏ＿ｄｒ＿ｆｌａｇは、「１０」が「ＭＤＲ１」であることを示し、「０１」が「ＭＤＲ２」であることを示す。
「ＭＤＲ１」と「ＭＤＲ２」は、異なる映像方式の映像が表示されること、つまり、拡張映像信号が送信されることを示す。ここで、「ＭＤＲ１」の場合、表示装置２は、画素の拡張映像信号から画素付加情報、つまり、画素映像方式情報を抽出する。「ＭＤＲ２」の場合、表示装置２ａは、合成映像信号と画素映像方式信号とを、それぞれ別のフォーマットで受信する（第３の実施形態を参照）。このように、映像処理システムＳは、画素付加伝送方式を選択できても良く、表示装置２、２ａは、通知された画素付加伝送方式に従って、合成映像信号を処理しても良い。
ｖｉｄｅｏ＿ｄｒ＿ｆｌａｇは、３ビット以上であっても良い。この場合、ｖｉｄｅｏ＿ｄｒ＿ｆｌａｇは、ＨＤＲ−ＰＱとＨＤＲ−ＨＬＧの値を分けても良い。
【０１１３】
＜表示装置について＞
図１６は、本実施形態に係る表示装置２ａの構成を示す概略ブロック図である。本実施形態に係る表示装置２ａ（図１６）と第１の実施形態に係る表示装置２（図９）とを比較すると、制御情報処理部２５ａ及び映像処理部Ｃ２ａが異なる。しかし、他の構成要素が持つ機能は第１の実施形態と同じである。第１の実施形態と同じ機能の説明は省略する。
【０１１４】
制御情報処理部２５ａは、分離部２４−２から入力された制御情報から、予め定められたフォーマットに従って制御値を抽出する。つまり、制御情報処理部２５ａは、放送受信部２２−２が受信した放送に含まれる制御情報から、制御値を抽出する。
具体的には、制御情報処理部２５ａは、図４の制御情報から、図１５の値を取る「ｖｉｄｅｏ＿ｄｒ＿ｆｌａｇ」の値を制御値として抽出する。制御情報処理部２５ａは、抽出した制御値、つまり、画素付加情報の有無を示す情報を映像処理部Ｃ２ａへ出力する。
【０１１５】
映像処理部Ｃ２ａにおいて、画素信号取得部Ｃ２２は、制御情報処理部２５ａが出力した制御値として、画素付加情報の有無を示す情報を取得する。画素信号取得部Ｃ２２ａが行う処理は、第１の実施形態に係る画素信号取得部Ｃ２２が行う処理と同じである。
映像処理部Ｃ２ａは、分離部２４−２から入力された映像信号から、制御情報処理部２５ａから入力された制御値、及び表示制御処理部の制御に基づいて、駆動信号を生成する。つまり、制御情報処理部２５ａは、放送受信部２２−２が受信した放送に含まれる映像情報から、駆動信号を抽出する。映像処理部Ｃ２ａが行う処理は、第１の実施形態に係る映像処理部Ｃ２が行う処理と同じである。
【０１１６】
このように、本実施形態によれば、通信部２２（放送受信部２２−２）は、ＨＤＲ映像信号と、ＨＤＲとダイナミックレンジの方式が異なるＳＤＲ映像信号と、を１つのフレーム内に含む合成映像信号を、放送によって取得する。映像処理部Ｃ２ａは、１つのフレーム内の合成映像信号について、ＨＤＲ映像信号の部分に、ＨＤＲ用マッピングを用いて駆動信号を生成し、ＳＤＲ映像信号の部分に、ＳＤＲ用マッピングを用いて駆動信号を生成する。
これにより、映像処理システムＳは、放送についても、１つの画面上で部分的にＨＤＲとＳＤＲを変えることができる。
【０１１７】
（第３の実施形態）
以下、図面を参照しながら本発明の第３の実施形態について詳しく説明する。
本実施形態では、映像信号生成装置１ｂは、拡張映像信号、つまり、合成映像信号と画素映像方式信号を、それぞれ別のフォーマットに従って生成し、別々に通知する。表示装置２ｂは、合成映像信号と画素映像方式信号とを、それぞれ別のフォーマットで受信し、拡張映像信号に対する処理を行う。
【０１１８】
＜制御情報の一例＞
図１７は、本発明の第３の実施形態に係る画素映像方式信号の構成の別の一例を表す概略図である。
この図は、拡張映像信号のうち、画素映像方式信号の構成を示す。
画素映像方式信号Ｓｇ３は、画素毎の画素付加情報が連なっている。例えば、画素映像方式信号Ｓｇ３１１は、画素Ｇ００に対する画素付加情報であり、画素Ｇ００の映像方式を示す信号が配置されている。画素映像方式信号Ｓｇ３１２は、画素Ｇ０１に対する画素付加情報であり、画素Ｇ０１の映像方式を示す信号が配置されている。
画素映像方式信号の値は、図７の場合と同じである。なお、１フレーム分の画素映像方式信号は、図１７の場合、２ビット×（Ｉ＋１）×（Ｊ＋１）となる。
【０１１９】
＜映像信号生成装置１ｂについて＞
図１８は、本実施形態に係る映像信号生成装置１ｂの構成を示す概略ブロック図である。本実施形態に係る映像信号生成装置１ｂ（図１８）と第１の実施形態に係る映像信号生成装置１（図３）とを比較すると、拡張信号生成部１６ｂ及び送信部１７ｂが異なる。しかし、他の構成要素が持つ機能は第１の実施形態と同じである。第１の実施形態と同じ機能の説明は省略する。
【０１２０】
拡張信号生成部１６ｂは、第１の実施形態に係る拡張信号生成部１６と同様に、拡張信号生成部１６は、各表示位置の映像と、その映像の映像方式を特定する。
拡張信号生成部１６ｂは、設定情報に基づいて、複数の映像方式の映像が同時に表示されるか否か、つまり、複数の映像方式の映像が混在していないか否かを判定する。
複数の映像方式の映像信号が混在していると判定した場合、拡張信号生成部１６ｂは、少なくとも１つのフレームについて、当該フレーム内の画素についての画素映像方式情報を組合せる（図１７参照）。拡張信号生成部１６ｂは、少なくとも１つのフレームの画素映像方式情報を、予め定められたフォーマット情報に従って生成する。生成された情報を、「画素付加通知情報」と称する。
【０１２１】
拡張信号生成部１６ｂは、生成した画素付加通知情報と、入力された合成映像信号と、を別々に、送信部１７ｂへ出力する。
送信部１７ｂは、画素付加通知情報と合成映像信号とを、別々に表示装置２へ送信する。例えば、送信部１７ｂは、画素付加通知情報を制御情報として通知する。また、送信部１７ｂは、合成映像信号を、画素付加通知情報とは異なるフォーマット情報に従って送信する。
【０１２２】
＜表示装置について＞
図１９は、本実施形態に係る表示装置２ａの構成を示す概略ブロック図である。本実施形態に係る表示装置２ｂ（図１９）と第１の実施形態に係る表示装置２（図９）とを比較すると、制御情報処理部２５ｂ及び映像処理部Ｃ２ｂが異なる。しかし、他の構成要素が持つ機能は第１の実施形態と同じである。第１の実施形態と同じ機能の説明は省略する。
【０１２３】
制御情報処理部２５ｂは、入力された制御情報のうち、画素付加通知情報から、少なくとも１つのフレームの画素映像方式情報を、制御値として抽出する。制御情報処理部２５ａは、抽出した制御値、つまり、画素映像方式情報を映像処理部Ｃ２ａへ出力する。
【０１２４】
＜映像処理部について＞
図２０は、本実施形態に係る映像処理部Ｃ２ｂの構成を示す概略ブロック図である。
本実施形態に係る映像処理部Ｃ２ｂ（図２０）と第１の実施形態に係る映像処理部Ｃ２（図１１）とを比較すると、画素信号取得部Ｃ２２ｂ及び拡張方式取得部Ｃ２３ｂが異なる。しかし、他の構成要素が持つ機能は第１の実施形態と同じである。第１の実施形態と同じ機能の説明は省略する。
【０１２５】
画素信号取得部Ｃ２２ｂは、制御情報処理部２５から入力された制御値に基づいて、入力されたフレーム映像信号について、各画素の映像信号を取得する。ただし、画素信号取得部Ｃ２２ｂは、第１の実施形態に係る画素信号取得部Ｃ２２とは異なり、画素付加情報の有無、つまり、映像信号が拡張映像信号であるか否かは判定しない。
画素信号取得部Ｃ２２ｂは、取得した映像信号を、画素毎に、信号生成部Ｃ２５へ出力する。
【０１２６】
拡張方式取得部Ｃ２３ｂは、制御情報処理部２５から入力された画素映像方式情報を、選択部Ｃ２４へ出力する。ここで、拡張方式取得部Ｃ２３ｂは、少なくとも１つのフレームの全画素の画素映像方式情報を取得するので、画素毎に、選択部Ｃ２４へ出力する。
拡張方式取得部Ｃ２３ｂ又は選択部Ｃ２４は、画素信号取得部Ｃ２２ｂから出力された映像信号と画素映像方式情報を、画素毎に同期させて処理を行う。
なお、映像信号と画素映像方式情報を同期するための情報は、画素付加通知情報に含まれても良い。
【０１２７】
このように、本実施形態によれば、拡張信号生成部１６ｂは、第１フォーマット（合成映像信号のフォーマット）に従って合成映像信号を生成する。拡張信号生成部１６ｂは、合成映像の少なくとも１つのフレームについて、当該フレーム内の各画素の映像方式を示すフレーム画素映像方式情報を、第２フォーマット（画素付加通知情報のフォーマット）に従って生成する。送信部１７ｂは、生成した画素付加通知情報（フレーム画素映像方式情報）を通知し、合成映像信号を出力する。
【０１２８】
制御情報処理部２５ｂは、第２フォーマットに従って、画素付加通知情報から、合成映像信号の少なくとも１つのフレームについて、当該フレーム内の各画素の映像方式を抽出する。
映像処理部Ｃ２ｂは、第１フォーマットに従って合成映像信号を、合成映像信号の画素毎に抽出する。映像処理部Ｃ２ｂは、対象画素毎に、制御情報処理部２５ｂが抽出した映像方式がＨＤＲを示す場合、ＨＤＲ用マッピングを選択し、抽出した合成映像信号にＨＤＲ用マッピングを用いて駆動信号を生成する。映像処理部Ｃ２ｂは、対象画素毎に、制御情報処理部２５ｂが抽出した映像方式がＳＤＲを示す場合、ＳＤＲ用マッピングを選択し、抽出した合成映像信号にＳＤＲ用マッピングを用いて駆動信号を生成する。
これにより、映像処理システムＳは、別々のフォーマットに従って、合成映像信号と画素映像方式信号を別々に通知できる。この場合、画素毎に合成映像信号と画素映像方式信号を送信する場合と比較して、少ない容量（ビット数）で、合成映像信号を送信できる。また、例えば、画素映像方式信号の切り替えが少ない場合には、切り替えのタイミングのみに、画素映像方式信号を送信することで、合成映像信号の伝送効率を高めることができる。
【０１２９】
（第４の実施形態）
以下、図面を参照しながら本発明の第４の実施形態について詳しく説明する。
本実施形態では、映像信号がＹＣｂＣｒの場合、つまり、輝度信号（Ｙ）と２つの色差信号（Ｃｂ、Ｃｒ）を用いる場合について説明する。なお、映像信号は、ＹＵＶであっても良い。なお、Ｃｂは、青色の信号から輝度Ｙを差し引いた値に、特定の定数を掛けた値である。Ｃｒは、赤色の信号から輝度Ｙを差し引いた値に、特定の定数を掛けた値である。
【０１３０】
＜拡張映像信号について＞
図２１は、本発明の第４の実施形態に係る拡張映像信号の構成の一例を表す概略図である。本実施形態に係る拡張映像信号（図２１）と第１の実施形態に係る拡張映像信号（図７）とを比較すると、映像信号（合成映像信号）が異なる。具体的には、図２１の拡張映像信号は、図７のＲＧＢがＹＣｂＣｒになっている点で異なる。
【０１３１】
この図は、ある画素の拡張映像信号には、当該画素の合成映像信号に当該画素の映像方式を示す画素映像方式情報が付加されていることを示す。この図の例では、サブ画素毎に、画素映像方式情報が付加されている。
例えば、拡張映像信号Ｓｇ４１は輝度を示す映像信号（Ｙ）、拡張映像信号Ｓｇ４２は第１色差の映像信号（Ｃｂ）、拡張映像信号Ｓｇ４３は第２色差の映像信号（Ｃｒ）を表す。
例えば、拡張映像信号Ｓｇ４１１、Ｓｇ４２１、Ｓｇ４３１は、画素Ｇ００に対する映像信号であり、それぞれ、輝度を示す映像信号（Ｙ００）、第１色差の映像信号（Ｃｂ００）、第２色差の映像信号（Ｃｒ）が配置されている。
なお、画素映像方式情報は、第１の実施形態のものと同じである。
【０１３２】
図２２は、本発明の第４の実施形態に係る拡張映像信号の構成の別の一例を表す概略図である。本実施形態に係る拡張映像信号（図２２）と第１の実施形態に係る拡張映像信号（図８）とを比較すると、映像信号（合成映像信号）が異なる。具体的には、図２２の拡張映像信号は、図８のＲＧＢがＹＣｂＣｒになっている点で異なる。
【０１３３】
この図は、ある画素の拡張映像信号は、当該画素の合成映像信号に当該画素の映像方式を示す画素映像方式情報が付加されていることを示す。この図の例では、画素毎に、画素映像方式情報が付加されている。
例えば、拡張映像信号Ｓｇ５では、１つの画素に対する拡張映像信号は、全サブ画素の合成映像信号と画素方式情報の組合せで構成されている。
例えば、拡張映像信号Ｓｇ５１１は、画素Ｇ００に対する映像信号であり、当該画素の合成映像信号であって、ＹＣｂＣｒの合成映像信号（Ｐ’００）が配置されている。この合成映像信号（Ｐ’００）には、輝度を示す映像信号（Ｙ００）、第１色差の映像信号（Ｃｂ００）、第２色差の映像信号（Ｃｒ）が含まれている。
なお、画素映像方式情報は、第１の実施形態のものと同じである。
【０１３４】
これにより、映像処理システムＳは、輝度と色差の映像信号についても、１つの画面上で部分的にＨＤＲとＳＤＲを変えることができる。
【０１３５】
（第５の実施形態）
以下、図面を参照しながら本発明の第５の実施形態について詳しく説明する。
本実施形態では、１つのサブ画素の映像信号（合成映像信号）に対して画素映像方式情報が付加される場合について説明する。なお、少なくとも１つの他のサブ画素の映像信号には、情報が付加されなくても良いし、別の付加情報が付加されても良い。
また、本実施形態では、映像信号がＹＣｂＣｒの場合について説明するが、本発明はこれに限らず、映像信号がＲＧＢであっても良い。この場合、例えば、赤色（Ｒ）のサブ画素の映像信号に対して画素映像方式情報が付加され、他の色（Ｇ、Ｂ）の映像信号に対して画素映像方式情報が付加されなくても良い。
【０１３６】
＜拡張映像信号について＞
図２３は、本発明の第５の実施形態に係る拡張映像信号の構成の一例を表す概略図である。本実施形態に係る拡張映像信号（図２３）と第４の実施形態に係る拡張映像信号（図２１）とを比較すると、付加情報Ｓｇ６１２及びＳｇ６１３が異なる。しかし、他の信号は第１の実施形態と同じである。第１の実施形態と同じ機能の説明は省略する。
付加情報Ｓｇ６１２及びＳｇ６１３は、画素映像方式情報ではなく、別の情報である。また、付加情報Ｓｇ６１２及びＳｇ６１３は、情報がない（ｎｕｌｌ値）であっても良い。
【０１３７】
これにより、映像処理システムＳは、画素映像方式情報に加えて、画素毎に、別の付加情報も送信することができる。
【０１３８】
（第６の実施形態）
以下、図面を参照しながら本発明の第６の実施形態について詳しく説明する。
画素付加情報（画素映像方式情報）は、合成映像信号の前についても良いし、合成映像信号と混合させても良い。つまり、画素ビット列において、画素映像ビット列の前に画素付加ビット列を並べても良い。また、画素ビット列において、画素映像ビット列と画素付加ビット列をインターリーブ等により、交互して配置しても良い。
本実施形態では、各画素において、合成映像信号の前に画素付加情報を付加する場合について説明する。
【０１３９】
＜拡張映像信号について＞
図２４は、本発明の第５の実施形態に係る拡張映像信号の構成の一例を表す概略図である。本実施形態に係る拡張映像信号（図２４）と第１の実施形態に係る拡張映像信号（図７）とを比較すると、画素映像方式情報が付与される位置が異なる。
例えば、拡張映像信号Ｓｇ７１は赤色の映像信号、拡張映像信号Ｓｇ７２は緑色の映像信号、拡張映像信号Ｓｇ７３は青色の映像信号を表す。１つのサブ画素に対する拡張映像信号は、合成映像信号と画素方式情報の組合せで構成されている。図２４において、各画素に置いて、画素方式情報Ｓｇ７１２、Ｓｇ７２２、Ｓｇ７３２は、それぞれ、合成映像信号Ｓｇ７１１、Ｓｇ７２１、Ｓｇ７３１の前に付加されている。
同様に、画素毎に画素伝送方式情報を付加する場合、図８の画素映像方式信号Ｓｇ２１２は、合成映像信号Ｓｇ２１１の前に付加されても良い。
【０１４０】
これにより、映像処理システムＳは、例えば、ある画素について、駆動信号を生成するときに、より先に映像方式を特定できる。これにより、映像処理システムＳは、駆動信号の生成を、より効率的に行うことができる。
なお、図７のように、画素ビット列において、画素映像ビット列の後に画素付加ビット列を並べる場合、映像処理システムＳは、より相互互換性を保つことができる。つまり、拡張映像信号に対応していない表示装置については、従来の仕様どおり、画素開始ビットから順次、予め定められたビット数を読み込み、合成映像信号を抽出する。つまり、この表示装置は、次の画素開始ビットまでは、信号（画素映像方式信号）を抽出せずに、無視する。これにより、映像処理システムＳは、より相互互換性を保つことができる。
【０１４１】
なお、上記各実施形態において、映像信号生成装置１は、画素付加通知情報において、全画素の画素映像方式情報に変えて、映像方式とその映像方式を用いる画素の範囲を通知しても良い。例えば、映像信号生成装置１は、マルチ画面設定情報の情報（例えば、表示形状と表示位置、又は、設定）を表示装置２へ通知する。表示装置２は、画素付加通知情報が示す範囲に基づいて、画素毎に、映像方式を決定し、決定した映像方式で合成映像信号を生成する。
【０１４２】
なお、上記各実施形態において、選択できる映像方式は、一部の映像方式であっても良い。例えば、映像処理システムＳは、拡張映像信号の映像方式（画素映像方式）として、ＳＤＲは選択させず、ＨＤＲの映像方式（ＨＤＲ−ＰＱ、又は、ＨＤＲ−ＨＬＧ）を選択させても良い。
この場合、信号合成部１３及び拡張信号生成部１６（信号生成部）は、ＨＤＲ−ＰＱのＨＤＲ−ＰＱ映像を表すＨＤＲ−ＰＱ映像信号と、ＨＤＲ−ＰＱとＨＤＲの方式が異なるＨＤＲ−ＨＬＧのＨＤＲ−ＨＬＧ映像を表すＨＤＲ−ＨＬＧ映像信号と、を１つのフレーム内に含む合成映像信号を生成する。映像処理部Ｃ２、Ｃ２ａ、Ｃ２ｂは、１つのフレーム内の合成映像信号について、ＨＤＲ−ＰＱ映像信号の部分に、ＨＤＲ−ＰＱ用マッピングを用いて駆動信号を生成し、ＨＤＲ−ＨＬＧ映像信号の部分に、ＨＤＲ−ＨＬＧ用マッピングを用いて駆動信号を生成する。  
なお、映像処理システムＳは、拡張映像信号の映像方式として、ＨＤＲの方式は１種類とし、ＨＤＲのＳＤＲを選択させても良い。
【０１４３】
なお、上記各実施形態において、表示装置２、２ａ、２ｂ（映像処理部Ｃ２、Ｃ２ａ、Ｃ２ｂ）は、画素映像方式情報が示す映像方式を読み替えても良い。例えば、ＨＤＲ−ＨＬＧをＨＤＲ−ＰＱに読み替えても良いし、ＨＤＲ−ＰＱをＨＤＲ−ＨＬＧに読み替えても良い。これにより、映像処理システムＳは、例えばＨＤＲ−ＨＬＧに対応していない場合、又は、設定でＨＤＲ−ＨＬＧが設定されている場合に、ＨＤＲ−ＰＱをＨＤＲ−ＨＬＧに読み替え、ＨＤＲのまま映像を出力できる。また、表示装置２、２ａ、２ｂ（映像処理部Ｃ２、Ｃ２ａ、Ｃ２ｂ）は、ＨＤＲ−ＰＱ又はＨＤＲ−ＨＬＧのいずれか一方或いは両方を、ＳＤＲに読み替えても良い。
【０１４４】
また、上記各実施形態において、ダイナミックレンジの映像方式について説明をした。ただし、本発明はこれに限らず、高画質技術が採用された映像方式であってもよい。例えば、映像方式は、解像度による映像方式であり、例えば、２Ｋ、４Ｋ、又は８Ｋであっても良い。
この場合、信号合成部１３及び拡張信号生成部１６（信号生成部）は、第１解像度の映像を表す第１解像度映像信号と、第１解像度と解像度が異なる第２解像度の映像を表す第２解像度映像信号と、を１つのフレーム内に含む合成映像信号を生成する。映像処理部Ｃ２、Ｃ２ａ、Ｃ２ｂは、１つのフレーム内の合成映像信号について、第１解像度映像信号の部分に、第１解像度（第１の画素数）の駆動信号を生成し、第２解像度映像信号の部分に、第２解像度（第２の画素数）の駆動信号を生成する。ここで、第１解像度と第２解像度は異なる。例えば、８Ｋの画素（「表示画素」と称する）を有する表示装置２、２ａ、２ｂは、８Ｋの合成映像信号を含む拡張映像信号（映像信号での画画素を「信号画素」とも称する）を受信した場合、各信号画素の合成映像信号から各表示画素の駆動信号を生成する。一方、８Ｋの表示画素を有する表示装置２、２ａ、２ｂは、４Ｋの合成映像信号を含む拡張映像信号を受信した場合、１個の信号画素の合成映像信号から４個の表示画素の駆動信号を生成する。逆に、４Ｋの表示画素を有する表示装置２、２ａ、２ｂは、８Ｋの合成映像信号を含む拡張映像信号を受信した場合、４個の信号画素の合成映像信号から１個の表示画素の駆動信号を生成する。
具体的には、解像度を示す画素映像方式情報（２Ｋ、４Ｋ、又は８Ｋ）は、拡張映像信号の画素付加情報として、合成映像信号に付加される。表示装置２、２ａ、２ｂは、自装置の表示画素と画素映像方式情報に基づいて、駆動信号を生成する。
【０１４５】
また、上記各実施形態において、各部の一部又は全部は、回路で構成されても良い。例えば、映像信号生成装置１、１ｂは、信号取得回路１１、方式取得回路１２、信号合成回路１３、設定記憶部１４、設定回路１５、拡張信号生成回路１６、１６ｂ、及び、送信回路１７、１７ｂを含んで構成される。
例えば、信号取得回路１１は、ＨＤＲ映像信号とＳＤＲ映像信号とを取得する。信号合成回路１３は、ＨＤＲ映像とＳＤＲ映像を同時に表示させる合成映像信号を生成するように制御される。方式取得回路１２は、合成映像信号が表わす映像における画素単位で、ＨＤＲ映像の表示位置とＨＤＲを示す情報、及び、ＳＤＲ映像の表示位置とＳＤＲを示す情報を取得するように制御される。拡張信号生成回路１６は、方式取得回路１２が取得した情報に基づいて、合成映像信号が表わす映像における画素単位で映像方式を示す画素映像方式情報と、合成映像信号とを対応付けた拡張映像信号を生成するように制御される。
【０１４６】
また、例えば、表示装置２、２ａ、２ｂは、入力回路２０、記憶部２１、通信回路２２、復調回路２３−１、２３−２、分離回路２４−１、２４−２、２４−３、制御情報処理回路２５、２５ａ、２５ｂ、ＡＰ処理回路２６、表示制御処理回路２７、音声処理回路２８、出力回路２９（スピーカー２９１、ディスプレイ２９２）、及び、映像処理回路Ｃ２、Ｃ２ａ、Ｃ２ｂを含んで構成される。
また、例えば、映像処理回路Ｃ２は、フレーム信号取得回路Ｃ２１、画素信号取得回路Ｃ２２、Ｃ２２ｂ、拡張方式取得回路Ｃ２３、Ｃ２３ｂ、選択回路Ｃ２４、信号生成回路Ｃ２５、レイヤ合成回路Ｃ２６、及び、光調整回路Ｃ２７を含んで構成される。
例えば、通信回路２２は、拡張映像信号を取得する。選択回路Ｃ２４（選択回路）は、拡張映像信号に基づいて、合成映像信号が表わす映像における画素単位で、ＨＤＲ用マッピングを用いるか、又は、ＳＤＲ用マッピングを用いるかを判定するように制御される。信号生成回路Ｃ２５は、選択回路Ｃ２４の判定結果に基づいて、合成映像信号が表わす映像における画素単位で、ＨＤＲ用マッピング、又は、ＳＤＲ用マッピングを切り替えて、駆動信号を生成するように制御される。ディスプレイ２９２は、駆動信号に基づいて、合成映像信号が表わす映像において、ＨＤＲ映像をＨＤＲ映像として表示し、ＳＤＲ映像をＳＤＲの映像として表示する。
【０１４７】
なお、上述した実施形態における映像信号生成装置１、１ｂ、及び表示装置２、２ａ、２ｂの一部、又は全部をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、映像信号生成装置１、１ｂ、又は表示装置２、２ａ、２ｂに内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
また、上述した実施形態における映像信号生成装置１、１ｂ、及び表示装置２、２ａ、２ｂの一部、または全部を、ＬＳＩ（Ｌａｒｇｅ  Ｓｃａｌｅ  Ｉｎｔｅｇｒａｔｉｏｎ）等の集積回路として実現しても良い。映像信号生成装置１、１ｂ、及び表示装置２、２ａ、２ｂの各機能ブロックは個別にプロセッサ化しても良いし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【０１４８】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【０１４９】
１、１ｂ・・・映像信号生成装置、１１、１１−１〜１１−Ｎ・・・信号取得部、１２・・・方式取得部、１３・・・信号合成部、１４・・・設定記憶部、１５・・・設定部、１６、１６ｂ・・・拡張信号生成部、１７、１７ｂ・・・送信部、Ｍ１１・・・記憶装置、Ｍ１２・・・記憶媒体、２、２ａ、２ｂ・・・表示装置、２０・・・入力部、２１・・・記憶部、２２・・・端子通信部２２−１・・・端子通信部、２２−２・・・放送受信部、２２−３・・・ＮＷ通信部、２３−１、２３−２・・・復調部、２４−１〜２４−３・・・分離部、２５、２５ａ、２５ｂ・・・制御情報処理部、２６・・・ＡＰ処理部、２７・・・表示制御処理部、２８・・・音声処理部、２９・・・出力部、２９１・・・スピーカー、２９２・・・表示部、Ｃ２、Ｃ２ａ、Ｃ２ｂ・・・映像処理部、Ｃ２１・・・フレーム信号取得部、Ｃ２２、Ｃ２２ｂ・・・画素信号取得部、Ｃ２３、Ｃ２３ｂ・・・拡張方式取得部、Ｃ２４・・・選択部、Ｃ２５・・・信号生成部、Ｃ２５１−１〜Ｃ２５１−Ｍ・・・スイッチ、Ｃ２５２−１〜Ｃ２５２−Ｍ・・・駆動信号生成部、Ｃ２６・・・レイヤ合成部、Ｃ２７・・・光調整部
【図１】
2018129700.tif 000003
【図２】
2018129700.tif 000004
【図３】
2018129700.tif 000005
【図４】
2018129700.tif 000006
【図５】
2018129700.tif 000007
【図６】
2018129700.tif 000008
【図７】
2018129700.tif 000009
【図８】
2018129700.tif 000010
【図９】
2018129700.tif 000011
【図１０】
2018129700.tif 000012
【図１１】
2018129700.tif 000013
【図１２】
2018129700.tif 000014
【図１３】
2018129700.tif 000015
【図１４】
2018129700.tif 000016
【図１５】
2018129700.tif 000017
【図１６】
2018129700.tif 000018
【図１７】
2018129700.tif 000019
【図１８】
2018129700.tif 000020
【図１９】
2018129700.tif 000021
【図２０】
2018129700.tif 000022
【図２１】
2018129700.tif 000023
【図２２】
2018129700.tif 000024
【図２３】
2018129700.tif 000025
【図２４】
2018129700.tif 000026